(57)【要約】【課題】寄付先の登録を容易にする。また、複数の寄付先を登録できるようにする。また、寄付先に応じて、寄付の割合を変えて登録できるようにする。【解決手段】情報管理装置１００ａの情報管理部１６０ａは、ユーザが任意の団体を寄付先としてユーザ情報登録部１３０に登録する場合に、団体情報登録部１２５から団体情報を読み出し、ユーザが団体情報の中から１乃至複数の寄付先を選択入力するための寄付先選択欄とユーザが寄付先に応じて寄付の割合を指定入力するための寄付の割合入力欄とを有する寄付先登録用画面をユーザ装置３００に表示させるための寄付先登録用情報と、団体情報登録部１２５から読み出した団体情報とを、当該ユーザのユーザ装置に送信し、および、ユーザが選択した寄付先と寄付の割合とを当該ユーザの寄付先情報として受信してユーザ情報登録部に登録する。【選択図】図１
2007102726.tif 000002
【特許請求の範囲】
【請求項１】
情報の送り手となるスポンサーに関するスポンサー情報を登録するスポンサー情報登録手段と、情報の受け手となるユーザに関するユーザ情報を登録するユーザ情報登録手段と、前記ユーザによって利用されるユーザ装置と通信網を介して通信する通信手段と、前記スポンサーから前記ユーザに提供されるスポンサー提供情報の送信を管理する情報管理手段とを有する情報管理装置において、
前記ユーザからの寄付を受け付けている団体に関する情報を団体情報として登録する団体情報登録手段を有し、
前記情報管理手段は、
前記ユーザが任意の団体を寄付先として前記ユーザ情報登録手段に登録する場合に、前記団体情報登録手段から前記団体情報を読み出し、当該ユーザが前記団体情報の中から１乃至複数の寄付先を選択入力するための寄付先選択欄と当該ユーザが寄付先に応じて寄付の割合を指定入力するための寄付の割合入力欄とを有する寄付先登録用画面を前記ユーザ装置に表示させるための寄付先登録用情報と、前記団体情報登録手段から読み出した前記団体情報とを、当該ユーザの前記ユーザ装置に送信し、および、
前記ユーザが選択した寄付先と寄付の割合とを当該ユーザの寄付先情報として受信して前記ユーザ情報登録手段に登録する
ことを特徴とする情報管理装置。
【請求項２】
請求項１に記載の情報管理装置において、
前記情報管理手段は、前記スポンサー提供情報を前記ユーザの前記ユーザ装置に送信する場合に、前記スポンサー情報登録手段に登録されている前記スポンサー情報を読み出して、当該スポンサー情報に基づいて前記スポンサー提供情報を送信するための条件に適合している前記ユーザを条件適合者として抽出し、当該条件適合者の前記ユーザ装置に前記スポンサー提供情報を送信する
ことを特徴とする情報管理装置。
【請求項３】
請求項２に記載の情報管理装置において、
前記スポンサー情報登録手段は、前記スポンサー情報として、前記条件適合者の中から、前記スポンサーにとって寄付先として好ましくない団体を寄付先に登録している前記ユーザを除外するための除外団体が登録されており、
前記情報管理手段は、前記スポンサー提供情報をユーザの前記ユーザ装置に送信する場合に、前記スポンサー情報登録手段に登録されている前記スポンサー情報を読み出して、当該スポンサー情報に含まれている前記除外団体に基づいて、前記条件適合者の中から、前記除外団体を寄付先に登録している前記ユーザを除外することにより送信予定者を抽出し、当該送信予定者の前記ユーザ装置に前記スポンサー提供情報を送信する
ことを特徴とする情報管理装置。
【請求項４】
請求項２または３に記載の情報管理装置において、
前記情報管理手段は、前記ユーザがポイントを獲得した場合でかつ当該ユーザが寄付先と寄付の割合を寄付先情報として前記ユーザ情報登録手段に登録している場合に、前記ユーザ情報登録手段に登録されている当該ユーザの前記寄付先情報を読み出して、寄付先毎に、当該ユーザが獲得したポイントと前記寄付先情報に含まれている寄付の割合に基づいて寄付ポイントを算出し、当該寄付ポイントを、寄付先である団体が獲得した団体獲得ポイントとして前記団体情報登録手段に登録する
ことを特徴とする情報管理装置。
【請求項５】
請求項４に記載の情報管理装置において、
さらに、前記団体情報登録手段に登録された各団体の前記団体獲得ポイントを読み出して、団体毎に、前記団体獲得ポイントの積算値に基づいて、各団体に分配すべき分配費用を算出する分配費用算出手段と、
団体毎に、前記分配費用算出手段によって算出されて前記分配費用の支払い処理を行う支払い処理手段とを有し、
前記団体情報登録手段は、団体情報として、各団体の名称と、各団体が金融機関に開設した口座とが関連付けて登録されており、
前記スポンサー情報登録手段は、前記スポンサー情報の一種として、前記スポンサーが前記スポンサー提供情報を前記ユーザに送信してもらう代価として代行業者に支払うスポンサー費用が登録されており、
前記支払い処理手段は、前記スポンサー情報登録手段に登録された前記スポンサー費用の一部を原資として、団体毎に、前記分配費用算出手段によって算出された前記分配費用を前記団体情報登録手段に登録された前記口座に振り込むことにより、前記分配費用の支払い処理を行う
ことを特徴とする情報管理装置。
【請求項６】
請求項１に記載の情報管理装置において、
前記スポンサー情報登録手段は、前記スポンサー情報として、前記スポンサーによって好ましい寄付先として推奨された推奨団体と、当該推奨団体を推奨する推奨理由とが登録されており、
前記情報管理手段は、前記スポンサー提供情報をユーザの前記ユーザ装置に送信する場合に、前記スポンサー情報登録手段から前記推奨団体と前記推奨理由とを読み出し、前記スポンサー提供情報を表示するためのスポンサー提供情報表示欄と当該推奨団体を寄付先として選択入力するための推奨団体表示欄と当該推奨理由を表示するための推奨理由表示欄とを有するスポンサー提供情報表示画面を前記ユーザ装置に表示させるための推奨団体表示用情報と、当該推奨団体と、当該推奨理由と、前記スポンサー提供情報とを、当該ユーザの前記ユーザ装置に送信する
ことを特徴とする情報管理装置。
【請求項７】
請求項１に記載の情報管理装置において、
前記団体情報登録手段は、前記団体毎に、寄付を行った寄付ユーザと当該寄付ユーザの寄付累計ポイントとが対応付けて登録されており、
前記情報管理手段は、任意の情報を前記ユーザの前記ユーザ装置に送信する場合に、前記団体情報登録手段から当該ユーザが寄付を行った団体における各寄付ユーザと各寄付ユーザの前記寄付累計ポイントとを読み出し、読み出した各寄付ユーザと各寄付ユーザの前記寄付累計ポイントとに基づいて、当該ユーザが寄付した前記団体における当該ユーザの寄付ランキングを特定し、特定した寄付ランキングを前記ユーザ装置に表示させるための寄付ランキング表示用情報を、当該ユーザの前記ユーザ装置に送信する
ことを特徴とする情報管理装置。
【請求項８】
情報の送り手となるスポンサーに関するスポンサー情報を登録するスポンサー情報登録手段と、情報の受け手となるユーザに関するユーザ情報を登録するユーザ情報登録手段と、前記ユーザによって利用されるユーザ装置と通信網を介して通信する通信手段と、前記スポンサーから前記ユーザに提供されるスポンサー提供情報の送信を管理する情報管理手段と、前記ユーザからの寄付を受け付けている団体に関する情報を登録する団体情報登録手段とを有する情報管理装置を用いて、前記スポンサー提供情報の送信を管理する情報管理方法において、
前記ユーザが任意の団体を寄付先として前記ユーザ情報登録手段に登録する場合に、
前記情報管理手段により、前記団体情報登録手段から前記団体情報を読み出し、当該ユーザが前記団体情報の中から１乃至複数の寄付先を選択入力するための寄付先選択欄と当該ユーザが寄付先に応じて寄付の割合を指定入力するための寄付の割合入力欄とを有する寄付先登録用画面を前記ユーザ装置に表示させるための寄付先登録用情報と、前記団体情報登録手段から読み出した前記団体情報とを、当該ユーザの前記ユーザ装置に送信する団体情報送信工程と、
前記情報管理手段により、前記ユーザが選択した寄付先と寄付の割合とを当該ユーザの寄付先情報として受信して前記ユーザ情報登録手段に登録する寄付先情報登録工程とを有する
ことを特徴とする情報管理方法。
【請求項９】
請求項８に記載の情報管理方法において、
前記スポンサー提供情報をユーザの前記ユーザ装置に送信する場合に、
前記情報管理手段により、前記スポンサー情報登録手段に登録されている前記スポンサー情報を読み出して、当該スポンサー情報に基づいて前記スポンサー提供情報を送信するための条件に適合しているユーザを条件適合者として抽出する条件適合者抽出工程と、
前記情報管理手段により、前記条件適合者の前記ユーザ装置に前記スポンサー提供情報を送信するスポンサー提供情報送信工程とを有する
ことを特徴とする情報管理方法。
【請求項１０】
請求項９に記載の情報管理方法において、
前記スポンサー情報登録手段は、前記スポンサー情報として、前記条件適合者の中から、前記スポンサーにとって寄付先として好ましくない団体を寄付先に登録している前記ユーザを除外するための除外団体を登録しており、
前記スポンサー提供情報を前記ユーザの前記ユーザ装置に送信する場合に、
前記情報管理手段により、前記スポンサー情報登録手段に登録されている前記スポンサー情報を読み出して、当該スポンサー情報に含まれている前記除外団体に基づいて、前記条件適合者の中から、前記除外団体を寄付先に登録している前記ユーザを除外することにより送信予定者を抽出する送信予定者抽出工程と、
前記情報管理手段により、前記送信予定者の前記ユーザ装置に前記スポンサー提供情報を送信するスポンサー提供情報送信工程とを有する
ことを特徴とする情報管理方法。
【請求項１１】
請求項９または１０に記載の情報管理方法において、
前記ユーザがポイントを獲得した場合でかつ当該ユーザが寄付先と寄付の割合を寄付先情報として前記ユーザ情報登録手段に登録している場合に、
前記情報管理手段により、前記ユーザ情報登録手段に登録された当該ユーザの前記寄付先情報を読み出して、寄付先毎に、当該ユーザが獲得したポイントと前記寄付先情報に含まれている寄付の割合に基づいて寄付ポイントを算出する寄付ポイント算出工程と、
前記情報管理手段により、寄付先毎に、前記寄付ポイント算出工程で算出された前記寄付ポイントを、寄付先である団体が獲得した団体獲得ポイントとして前記団体情報登録手段に登録する団体獲得ポイント登録工程とを有する
ことを特徴とする情報管理方法。
【請求項１２】
請求項１１に記載の情報管理方法において、
前記情報管理装置は、さらに、前記団体情報登録手段に登録された各団体の前記団体獲得ポイントを読み出して、団体毎に、前記団体獲得ポイントの積算値に基づいて、各団体に分配すべき分配費用を算出する分配費用算出手段と、団体毎に、前記分配費用算出手段によって算出されて前記分配費用の支払い処理を行う支払い処理手段とを有しており、
前記団体情報登録手段により、団体情報として、各団体の名称と、各団体が金融機関に開設した口座とを関連付けて登録する団体情報登録工程と、
前記スポンサー情報登録手段により、前記スポンサー情報の一種として、前記スポンサーが前記スポンサー提供情報を前記ユーザに送信してもらう代価として代行業者に支払うスポンサー費用を登録するスポンサー情報登録工程と、
前記支払い処理手段により、前記スポンサー情報登録手段に登録された前記スポンサー費用の一部を原資として、団体毎に、前記分配費用算出手段によって算出された前記分配費用を前記団体情報登録手段に登録された前記口座に振り込むことにより、前記分配費用の支払い処理を行う支払い処理工程とを有する
ことを特徴とする情報管理方法。
【請求項１３】
請求項８に記載の情報管理方法において、
前記スポンサー情報登録手段は、前記スポンサー情報として、前記スポンサーによって好ましい寄付先として推奨された推奨団体と、当該推奨団体を推奨する推奨理由とを登録しており、
前記スポンサー提供情報をユーザの前記ユーザ装置に送信する場合に、
前記情報管理手段により、前記スポンサー情報登録手段から前記推奨団体と前記推奨理由とを読み出し、前記スポンサー提供情報を表示するためのスポンサー提供情報表示欄と当該推奨団体を寄付先として選択入力するための推奨団体表示欄と当該推奨理由を表示するための推奨理由表示欄とを有するスポンサー提供情報表示画面を前記ユーザ装置に表示させるための推奨団体表示用情報と、前記スポンサー提供情報と、当該推奨団体と、当該推奨理由とを、当該ユーザの前記ユーザ装置に送信するスポンサー提供情報送信工程を有する
ことを特徴とする情報管理方法。
【請求項１４】
請求項８に記載の情報管理方法において、
前記団体情報登録手段は、前記団体毎に、寄付を行った寄付ユーザと当該寄付ユーザの寄付累計ポイントとを対応付けて登録しており、
任意の情報をユーザの前記ユーザ装置に送信する場合に、
前記情報管理手段により、前記団体情報登録手段から当該ユーザが寄付を行った団体における各寄付ユーザと各寄付ユーザの前記寄付累計ポイントとを読み出し、読み出した各寄付ユーザと各寄付ユーザの前記寄付累計ポイントとに基づいて、当該ユーザが寄付した前記団体における当該ユーザの寄付ランキングを特定し、特定した寄付ランキングを前記ユーザ装置に表示させるための寄付ランキング表示用情報を、当該ユーザの前記ユーザ装置に送信する寄付ランキング情報送信工程を有する
ことを特徴とする情報管理方法。
【請求項１５】
コンピュータにより、情報の送り手となるスポンサーに関するスポンサー情報を登録するスポンサー情報登録手段と、情報の受け手となるユーザに関するユーザ情報を登録するユーザ情報登録手段と、ユーザによって利用されるユーザ装置と通信網を介して通信する通信手段と、スポンサーからユーザに提供されるスポンサー提供情報の送信を管理する情報管理手段とを有する情報管理装置であって、ユーザからの寄付を受け付けている団体に関する情報を団体情報として登録する団体情報登録手段を有し、前記情報管理手段は、ユーザが任意の団体を寄付先として前記ユーザ情報登録手段に登録する場合に、前記団体情報登録手段から前記団体情報を読み出し、当該ユーザが前記団体情報の中から１乃至複数の寄付先を選択入力するための寄付先選択欄と当該ユーザが寄付先に応じて寄付の割合を指定入力するための寄付の割合入力欄とを有する寄付先登録用画面を前記ユーザ装置に表示させるための寄付先登録用情報と、前記団体情報登録手段から読み出した前記団体情報とを、当該ユーザの前記ユーザ装置に送信し、および、前記ユーザが選択した寄付先と寄付の割合とを当該ユーザの寄付先情報として受信して前記ユーザ情報登録手段に登録する情報管理装置を実現するためのプログラム。
【発明の詳細な説明】
【技術分野】
【０００１】
この発明は、情報の送り手となるスポンサーから情報の受け手となるユーザに提供される情報の送信を管理する情報管理装置、情報管理方法、および当該情報管理装置を実現するためのプログラムに関する。
【背景技術】
【０００２】
様々な商品やサービスの提供者（以下、スポンサーと称する）は、テレビで広告を流すことによって、当該商品やサービスに関する情報を不特定多数のユーザに提供していた。
【０００３】
その一方で、スポンサーは、ネットワークを介して、各ユーザの携帯電話やパーソナルコンピュータなどの電子機器（以下、ユーザ装置と称する）に広告を送信するようにもなってきた（特許文献１参照）。
【０００４】
例えば、特許文献１では、スポンサーは、以下のようにして、ユーザ装置に広告を送信している。すなわち、スポンサーは、ユーザ装置に広告を送信する場合に、広告をサービス提供サーバ装置と称される情報管理装置に登録する。これにより、サービス提供サーバ装置は、広告のリストを、利用者端末と称されるユーザ装置に送信する。利用者端末は、サービス提供サーバ装置から広告のリストを受信すると、当該リストをディスプレイに表示する。これにより、ユーザは、広告のリストを閲覧することができる。ユーザは、広告のリストを閲覧すると、利用者端末の入力手段を操作し、当該リストの中から所望の広告を指定する。すると、利用者端末は、当該広告を指定する情報をサービス提供サーバ装置に送信する。サービス提供サーバ装置は、利用者端末から広告を指定する情報を受信すると、指定された広告を利用者端末に送信する。利用者端末は、サービス提供サーバ装置から広告を受信すると、当該広告をディスプレイに表示する。これにより、ユーザは、所望の広告を閲覧することができる。
【０００５】
ところで、特許文献１では、サービス提供サーバ装置は、広告を利用者端末に送信するときに、ポイント（以下、特許文献１のポイントと称する）をユーザに付与している。この特許文献１のポイントは、広告主であるスポンサーまたはサーバの管理者によって提示される報酬と交換することができる。この報酬は、懸賞の応募や、電話料金の値下げ、ユーザがスポンサー提供の有料サービスを利用した場合の利用料の割り引きなどである。
【０００６】
しかしながら、特許文献１のポイントは、現金と異なり、用途が広告主であるスポンサーまたはサーバの管理者によって提示される報酬との交換に限定されている。そのため、特許文献１のポイントは、現金のような利便性がなかった。また、特許文献１のポイントは、懸賞の応募以外の報酬に交換する場合に、ユーザが利用した有料サービスの利用料よりも低い価値の報酬としか交換できなかった。
【０００７】
したがって、特許文献１には、現金のような利便性を持つポイント（すなわち、用途が限定されていないポイント）をユーザに付与するという思想や、ユーザが利用した有料サービスの利用料よりも高い価値のポイントをユーザに付与することを可能にするという思想がなかった。
【０００８】
そこで、この出願の発明者は、ポイントの利便性の向上を図る発明をなし、その発明につき本出願人は、２００４年１０月２９日に、特願２００４−３１５２９２号として出願し、さらに、２００５年７月１４日に、その特願２００４−３１５２９２号に基づいて、特願２００５−２０６２０９号として優先権主張出願した。
【０００９】
特願２００５−２０６２０９号として出願した発明（以下、先願発明と称する）は、代行業者によって使用される情報管理装置に関するものであり、ポイントに現金と同等の価値を持たせるために、ポイントの価値を裏付ける原資を確保し、その原資の一部を、スポンサー提供情報を閲覧したユーザ（以下、閲覧ユーザと称する）に分配する。具体的には、先願発明の情報管理装置は、スポンサーから代行業者に支払われるスポンサー費用を原資とし、スポンサー費用の一部を閲覧ユーザに分配する。これにより、先願発明の情報管理装置は、現金と同等の価値を持つポイントを閲覧ユーザに付与することができる。なお、代行業者とは、スポンサーに代わって、スポンサー提供情報をユーザに送信する業者を意味する。また、スポンサー提供情報とは、スポンサーがユーザに提供する、広告やアンケートなどのサービス情報を意味する。
【００１０】
以下に、図１７〜図２３を参照して、先願発明の情報管理装置の概要を説明する。
【００１１】
図１７は、情報管理装置の接続形態を示す図である。
【００１２】
図１７（Ａ）に示すように、情報管理装置１００は、通信網４００を介して、複数のスポンサー装置２００および複数のユーザ装置３００と接続する。または、図１７（Ｂ）に示すように、情報管理装置１００は、情報管理部１６０がスポンサー装置２００と同様の処理を代行する機能を有する場合に、通信網４００を介して、複数のユーザ装置３００とのみ接続する。
【００１３】
なお、情報管理装置１００とは、スポンサーからユーザに提供されるスポンサー提供情報の送信を管理する装置を意味する。情報管理装置１００は、例えば、サーバや、パーソナルコンピュータ（以下、ＰＣと称する）などの電子機器である。情報管理装置１００は、主に、代行業者によって使用される。なお、代行業者は、情報管理装置１００を用いて代行業務を運営する運営会社（運営会社の従業員を含む）であるとともに、情報管理装置１００の管理者でもある。以下、代行業者を、運営会社または管理者と称する場合もある。なお、メールの送受信においては、従来と同様、情報管理装置１００とスポンサー装置２００とユーザ装置３００との間には、図示しない複数のプロバイダーが介在している。
【００１４】
また、スポンサー装置２００とは、情報の送り手となるスポンサーによって使用される装置を意味する。スポンサー装置２００は、例えば、サーバや、ＰＣ、双方向テレビの放送装置（以下、双方向ＴＶ放送装置と称する）、その他の電子機器である。
【００１５】
また、ユーザ装置３００とは、情報の受け手となるユーザによって使用される装置を意味する。ユーザ装置３００は、例えば、携帯電話や、ＰＣ、双方向テレビの受像機（以下、双方向ＴＶと称する）、その他の電子機器である。
【００１６】
図１８は、先願発明の情報管理装置の構成を示す図である。
【００１７】
図１８に示すように、情報管理装置１００は、種々の情報を記憶する記憶部１１５と、スポンサー装置２００やユーザ装置３００などの外部の機器と通信するための通信部１１０と、ユーザに分配する費用（以下、分配費用と称する）を算出する分配費用算出部１４０と、ユーザへの分配費用の支払い処理を行う支払い処理部１５０と、スポンサー提供情報の送信の管理や各種の処理を行う情報管理部１６０と、コンピュータ全体の制御（例えば、プログラムの命令の解読やコンピュータの動作に必要な各種のデータの処理、タイミング制御など）を行う制御部１７０と、管理者が指令を与えたり或いは必要な情報を入力する各種の装置（例えば、キーボードやマウス、スキャナ、各種記憶媒体の読取／書込装置、その他）によって構成される入力部１８０と、情報を出力する各種の装置（例えば、ディスプレイやプリンタ、その他）によって構成される出力部１９０とを有している。なお、記憶部１１５は、種々の情報を読み出し自在に書き込むＲＡＭ、および、読み出し専用のＲＯＭによって構成される。この記憶部１１５は、内部に、スポンサー自体に関する法人情報（以下、スポンサー情報という）を登録するスポンサー情報登録部１２０と、ユーザ自体に関する個人情報（以下、ユーザ情報という）を登録するユーザ情報登録部１３０とを備えている。情報管理装置１００は、入力部１８０から入力される情報や、他の装置（例えば、スポンサー装置２００やユーザ装置３００など）から通信部１１０を経て様々な情報を受信する場合に、受信した情報を、記憶部１１５に一時記憶する。そして、その後、情報管理装置１００は、記憶部１１５から受信した情報を読み出して、読み出した情報に基づいて、後述の管理プログラム５０１によって規定される各種の処理（例えば、受信した情報の出力部１９０のディスプレイへの表示など）を行う。以下、この動作に関する説明については、省略する。
【００１８】
なお、スポンサー装置２００は、種々の情報を記憶する記憶部２１５と、情報管理装置１００と通信するための通信部２１０と、様々な情報（例えば、スポンサー情報や、スポンサー提供情報、契約の更新情報、その他）の送受信の管理や各種の処理を行う情報処理部２６０と、スポンサー装置２００全体の制御（例えば、プログラムの命令の解読やコンピュータの動作に必要な各種のデータの処理、タイミング制御など）を行う制御部２７０と、情報を入力する各種の装置（例えば、キーボードやマウス、スキャナ、各種記憶媒体の読取／書込装置、その他）によって構成される入力部２８０と、スポンサーが指令を与えたり或いは必要な情報を出力する各種の装置（例えば、ディスプレイやプリンタ、その他）によって構成される出力部２９０とを有している。なお、記憶部２１５は、種々の情報を読み出し自在に書き込むＲＡＭ、および、読み出し専用のＲＯＭによって構成される。スポンサー装置２００は、入力部２８０から入力される情報や、他の装置（例えば、情報管理装置１００やユーザ装置３００など）から通信部２１０を経て様々な情報を受信する場合に、受信した情報を、記憶部２１５に一時記憶する。そして、その後、スポンサー装置２００は、記憶部２１５から受信した情報を読み出して、読み出した情報に基づいて、上述のプログラムによって規定される各種の処理（例えば、受信した情報の出力部２９０のディスプレイへの表示など）を行う。以下、この動作に関する説明については、省略する。
【００１９】
また、ユーザ装置３００は、種々の情報を記憶する記憶部３１５と、情報管理装置１００と通信するための通信部３１０と、様々な情報（例えば、ユーザ情報や、スポンサー提供情報、その他）の送受信の管理や各種の処理を行う情報処理部３６０と、ユーザ装置３００全体の制御（例えば、プログラムの命令の解読やコンピュータの動作に必要な各種のデータの処理、タイミング制御など）を行う制御部３７０と、情報を入力する各種の装置（例えば、キーボードやマウス、スキャナ、ＣＤ−ＲＯＭやＤＶＤなどの各種記憶媒体の読取／書込装置、その他）によって構成される入力部３８０と、ユーザが指令を与えたり或いは必要な情報を出力する各種の装置（例えば、ディスプレイやプリンタ、その他）によって構成される出力部３９０とを有している。なお、記憶部３１５は、スポンサー装置２００の記憶部２１５と同様に、種々の情報を読み出し自在に書き込むＲＡＭ、および、読み出し専用のＲＯＭによって構成される。ユーザ装置３００は、スポンサー装置２００と同様に、入力部３８０から入力される情報や、他の装置（例えば、情報管理装置１００やスポンサー装置２００など）から通信部３１０を経て様々な情報を受信する場合に、受信した情報を、記憶部３１５に一時記憶する。そして、その後、ユーザ装置３００は、記憶部３１５から受信した情報を読み出して、読み出した情報に基づいて、上述のプログラムによって規定される各種の処理（例えば、受信した情報の出力部３９０のディスプレイへの表示など）を行う。以下、この動作に関する説明については、省略する。
【００２０】
情報管理装置１００は、以下のように動作する。
【００２１】
情報管理装置１００は、まず、スポンサー登録とユーザ登録とを行う。なお、スポンサー登録とは、スポンサー情報を情報管理装置１００に登録することを意味する。情報管理装置１００は、スポンサー装置２００からスポンサー情報を取得して、取得したスポンサー情報をスポンサー情報登録部１２０に登録する。なお、登録されたスポンサー情報には、スポンサーから代行業者に支払われる費用に関する金額情報（以下、単にスポンサー費用と称する）が含まれており、情報管理装置１００はこのスポンサー費用に応じて定まる提供回数（または提供量）の代行業務（すなわち、ユーザへのスポンサー提供情報の送信）を行う。また、ユーザ登録とは、ユーザ情報を情報管理装置１００に登録することを意味する。情報管理装置１００は、ユーザ装置３００からユーザ情報を取得して、取得したユーザ情報をユーザ情報登録部１３０に登録する。
【００２２】
情報管理装置１００は、スポンサー登録とユーザ登録とを行うと、代行業務（すなわち、ユーザへのスポンサー提供情報の送信）を行う。代行業務は、主に、ユーザが情報管理装置１００にアクセスして、閲覧を希望するスポンサー提供情報を指定することによって行われる。このとき、情報管理装置１００は、ユーザが指定したスポンサー提供情報をスポンサー装置２００から取得してユーザ装置３００に送信する。または、情報管理装置１００は、スポンサー提供情報がスポンサー情報登録部１２０に登録されている場合に、ユーザが指定したスポンサー提供情報をスポンサー情報登録部１２０から読み出してユーザ装置３００に送信する。これにより、ユーザ装置３００の出力部３９０のディスプレイは、例えば図１９（Ａ）または（Ｂ）に示す画面を表示する。
【００２３】
なお、図１９（Ａ）および（Ｂ）は、スポンサー提供情報の一例を示す図である。図１９（Ａ）は、広告の形態をしたスポンサー提供情報の一例を示しており、図１９（Ｂ）は、アンケートの形態をしたスポンサー提供情報の一例を示している。
【００２４】
図１９（Ａ）に示す例では、ユーザ装置３００は、モーターショーの開催をユーザに通知する文章と、ボックス欄へのキーワードの入力をユーザに要請する文章と、キーワードを入力するボックス欄と、「閲覧確認送信」キーとを有する画面を表示している。
【００２５】
なお、「閲覧確認送信」キーとは、ボックス欄に入力されたキーワードを情報管理装置１００に送信するためのキーを意味する。ユーザ装置３００は、ユーザがボックス欄にキーワード（以下、返信用のキーワードと称する）を入力して「閲覧確認送信」キーを押下すると、通信部３１０を介して、返信用のキーワードを情報管理装置１００に送信する。
【００２６】
情報管理装置１００の情報管理部１６０は、通信部１１０を介して、ユーザ装置３００から、返信用のキーワードを受信すると、返信用のキーワードとスポンサー情報登録手段に登録された複数のキーワードとを比較する。そして、情報管理部１６０は、返信用のキーワードがスポンサー情報登録手段に登録された複数のキーワードのいずれかに一致する場合に、ユーザがスポンサー提供情報を閲覧したと判定して、返信用のキーワードを閲覧確認情報としてスポンサー情報登録部１２０またはユーザ情報登録部１３０に格納する。
【００２７】
図１９（Ｂ）に示す例では、ユーザ装置３００は、車に対する質問の文章と、ユーザがチェックした場合に「レ」点が入力されるチェック欄と、「アンケート回答送信」キーとを有する画面を表示している。なお、「アンケート回答送信」キーとは、チェック欄に入力された「レ」点の位置情報をアンケートの回答情報として情報管理装置１００に送信するためのキーを意味する。ユーザ装置３００は、ユーザがチェック欄に「レ」点を入力して「アンケート回答送信」キーを押下すると、「レ」点の位置情報をアンケートの回答情報として情報管理装置１００に送信する。情報管理装置１００は、ユーザ装置３００から、アンケートの回答情報を取得すると、ユーザがスポンサー提供情報を閲覧したと判定して、アンケートの回答情報を閲覧確認情報としてスポンサー情報登録部１２０またはユーザ情報登録部１３０に格納する。
【００２８】
情報管理装置１００は、ユーザがスポンサー提供情報を閲覧したと判定される度に、情報管理部１６０によって、予め定められた値のポイントを閲覧ユーザに付与する。
【００２９】
また、情報管理装置１００は、分配費用算出部１４０によって、閲覧ユーザに付与されたポイントの積算値に基づいて、閲覧ユーザに分配すべき分配費用を算出する。そして、情報管理装置１００は、支払い処理部１５０によって、スポンサー費用を原資として、算出された分配費用の支払い処理（すなわち、閲覧ユーザのユーザ装置３００への算出された分配費用の送信）を実行する。
【００３０】
また、情報管理装置１００は、予め定められたタイミングで、情報管理部１６０によって、例えば図２０に示すレポートを作成してスポンサー装置２００に送信する。なお、図２０は、レポートの一例を示す図である。予め定められたタイミングとは、例えば、提供期間が終了する場合（または、終了した場合）や、提供回数が上限値に達する場合（または、達した場合）、スポンサー費用に応じて設定された分配費用の上限値を超過する場合（または、超過した場合）などである。
【００３１】
図２１は、先願発明の情報管理装置の機能ブロックを示す図である。
【００３２】
図２１に示すように、情報管理装置１００として機能するサーバは、処理部として機能するマイクロプロセッサーユニット（以下、ＭＰＵと称する）１０１、各種の情報を一時的に記憶する記憶部として機能するランダムアクセスメモリ（以下、ＲＡＭと称する）１０２、各種の情報を恒久的に記憶する記憶部として機能するリードオンリメモリ（以下、ＲＯＭと称する）１０３、恒常的な情報を記憶する記憶部として機能するハードディスクドライブ（以下、ＨＤＤと称する）１０４、各部位に電源を供給する電源部１０９や、各種の情報を入力する入力部１８０、各種の情報を出力する出力部１９０などを有する。
【００３３】
なお、サーバは、入力部１８０の入力手段（例えば、各種記憶媒体の読取／書込装置など）を介して、プログラム媒体５００に格納された管理プログラム５０１を読み取ることによって、以下のような機能手段を内部に構築する。これにより、サーバは、情報管理装置１００として機能することになる。なお、管理プログラム５０１は、各種の情報（例えば、スポンサー情報やユーザ情報、スポンサー提供情報、その他）の送受信や管理に必要な様々な制御を実行させるためのプログラムである。
【００３４】
サーバが内部に構築する機能手段としては、通信部１１０、分配費用算出部１４０、支払い処理部１５０、情報管理部１６０、制御部１７０、情報管理装置１００と外部の機器（例えば、スポンサー装置２００やユーザ装置３００、その他）との間で送受信された様々な情報に関する通信記録情報を格納する送受信記録格納部１０７，１０７’、スポンサー情報登録部１２０，１２０’、ユーザ情報登録部１３０，１３０’などがある。
【００３５】
通信部１１０、分配費用算出部１４０、支払い処理部１５０、情報管理部１６０、および制御部１７０は、ＭＰＵ１０１に構築された機能手段である。
【００３６】
通信部１１０は、上述の通り、スポンサー装置２００やユーザ装置３００などの外部の機器と通信する機能手段である。通信部１１０は、周知の通り、情報の送信および受信を制御する。通信部１１０は、有線形式または無線形式の入出力インターフェース（図示せず）によって、外部の機器と通信する。
【００３７】
分配費用算出部１４０は、上述の通り、分配費用を算出する機能手段である。分配費用算出部１４０は、管理プログラム５０１によって機能する。
【００３８】
支払い処理部１５０は、上述の通り、ユーザへの分配費用の支払い処理を行う機能手段である。支払い処理部１５０は、管理プログラム５０１によって機能する。
【００３９】
情報管理部１６０は、上述の通り、スポンサー提供情報の送信の管理や各種の処理を行う機能手段である。なお、情報管理部１６０は、各種の処理を行うためのタイマーを有する。情報管理部１６０は、管理プログラム５０１によって機能する。
【００４０】
制御部１７０は、上述の通り、コンピュータ全体の制御（例えば、プログラムの命令の解読やコンピュータの動作に必要な各種のデータの処理、タイミング制御など）を行う機能手段である。
【００４１】
送受信記録格納部１０７とスポンサー情報登録部１２０とユーザ情報登録部１３０は、ＲＡＭ１０２に構築された機能手段である。また、送受信記録格納部１０７’とスポンサー情報登録部１２０’とユーザ情報登録部１３０’は、ＨＤＤ１０４に構築された機能手段である。
【００４２】
なお、ＲＡＭ１０２に構築された送受信記録格納部１０７とスポンサー情報登録部１２０とユーザ情報登録部１３０は、必要性の高い、比較的新しい情報を格納する。例えば、送受信記録格納部１０７は、情報管理装置１００が外部の機器（例えば、スポンサー装置２００やユーザ装置３００、その他）との間で様々な情報を送受信する都度、送受信した情報に関する通信記録情報を格納する。また、スポンサー情報登録部１２０は、スポンサーとの契約が有効となっているスポンサー情報（すなわち、スポンサー提供情報の提供期間が残っているスポンサー情報や、スポンサー提供情報の送信停止を意味するフラグ（以下、送信停止フラグと称する）が記録されていないスポンサー情報など）を更新可能な状態で格納する。また、ユーザ情報登録部１３０は、スポンサー提供情報の送信が可能なユーザ情報（すなわち、送信停止フラグが記録されていないユーザ情報など）を更新可能な状態で格納する。
【００４３】
これに対して、ＨＤＤ１０４に構築された送受信記録格納部１０７’とスポンサー情報登録部１２０’とユーザ情報登録部１３０’は、不要となった、過去の情報を格納する。例えば、送受信記録格納部１０７’は、所定期間経過後の、情報管理装置１００とスポンサー装置２００との間でまたは情報管理装置１００とユーザ装置３００との間で送受信された各種の情報を格納する。また、スポンサー情報登録部１２０’は、スポンサーとの契約が失効となっているスポンサー情報（すなわち、スポンサー提供情報の提供期間が切れたスポンサー情報や、送信停止フラグが記録されているスポンサー情報など）を格納する。また、ユーザ情報登録部１３０’は、スポンサー提供情報の送信が不可能なユーザ情報（すなわち、送信停止フラグが記録されているユーザ情報など）や、分配費用の支払いが処理済みとなっているユーザ情報を格納する。なお、スポンサー情報登録部１２０’は、スポンサーとの契約が失効となっているスポンサー情報に限らず、全てのスポンサー情報を格納することも可能である。また、ユーザ情報登録部１３０’は、スポンサー提供情報の送信が不可能なユーザ情報に限らず、全てのユーザ情報を格納することも可能である。
【００４４】
送受信記録格納部１０７，１０７’は、情報管理装置１００と外部の機器（例えば、スポンサー装置２００やユーザ装置３００、その他）との間で送受信された様々な情報に関する通信記録情報を格納するメモリ領域である。
【００４５】
送受信記録格納部１０７，１０７’に記録される通信記録情報は、例えば、スポンサー装置２００からスポンサー情報やスポンサー提供情報を受信した場合の当該スポンサー情報やスポンサー提供情報、ユーザ装置３００からアクセスを受けた場合のアクセス履歴、ユーザ装置３００から特定のスポンサー提供情報の送信依頼をする情報を受信した場合の特定情報依頼履歴、ユーザ装置３００にスポンサー提供情報を送信した場合の送信済スポンサー提供情報（または送信済スポンサー提供情報を特定することが可能な情報）、ユーザ装置３００からユーザ情報や閲覧確認情報を受信した場合の当該ユーザ情報や閲覧確認情報などである。これらの通信記録情報は、送受信記録格納部１０７にヘッダー情報とともに一時記憶される。その後、通信記録情報は、情報管理部１６０によって、そのヘッダー情報が識別される。これによって、どの通信記録情報が、どの契約Ｎｏのスポンサー情報に対応するのかが判別される。そして、各通信記録情報は、情報管理部１６０によって、各契約Ｎｏのスポンサー情報に対応づけられながら、スポンサー情報登録部１２０とユーザ情報登録部１３０の一方または両方に登録される。
【００４６】
なお、送受信記録格納部１０７は、各通信記録情報が格納してから所定期間経過すると、所定期間経過した通信記録情報を送受信記録格納部１０７’に送信して送受信記録格納部１０７’に格納させるとともに、自身から消去する。
【００４７】
スポンサー情報登録部１２０，１２０’は、スポンサー情報を登録するメモリ領域である。スポンサー情報登録部１２０，１２０’は、管理者がスポンサーと運営会社（代行業者）との間で交わされた契約書や覚え書、その他の書面に記載された情報を情報管理装置１００の入力部１８０の読取手段（例えば、スキャナなど）に読み取らせることによって情報管理装置１００に入力したスポンサー情報を、登録する。または、スポンサー情報登録部１２０，１２０’は、管理者が契約書や覚え書、その他の書面に記載された情報を目で確認して情報管理装置１００の入力部１８０の入力手段（例えば、キーボードやマウスなど）を操作することによって入力したスポンサー情報を、登録する。または、スポンサー情報登録部１２０，１２０’は、情報管理装置１００が通信部１１０によってスポンサー装置２００から受信したスポンサー情報を、登録する。
【００４８】
なお、スポンサー情報登録部１２０は、各スポンサー情報が失効になると（すなわち、スポンサー提供情報の提供期間が切れたり、送信停止フラグが記録されると）、失効したスポンサー情報をスポンサー情報登録部１２０’に送信してスポンサー情報登録部１２０’に格納させるとともに、自身から消去する。ただし、スポンサー情報登録部１２０は、送信停止フラグが記録されたスポンサー情報であっても、レポートに対するスポンサーからの応答情報（すなわち、契約を更新する旨の情報、または、契約を更新しない旨の情報など）がない場合は、スポンサーとの契約の失効が確定していないものとし、管理者によってスポンサーとの契約の失効が確定されるまで、そのスポンサー情報を格納し続ける。
【００４９】
図２２は、スポンサー情報登録部１２０に登録されたスポンサー情報の一例を示す図である。なお、スポンサー情報登録部１２０’に登録されるスポンサー情報も、図２２と同様の構成になっている。
【００５０】
図２２は、「契約Ｎｏ」や、「スポンサーＮｏ」、「項目」、「データ」などの欄が形成されたスポンサー情報を示している。
【００５１】
「契約Ｎｏ」欄は、スポンサーと運営会社との間の契約毎に割り当てられた番号（以下、契約Ｎｏと称する）を登録する欄である。情報管理部１６０は、スポンサーと運営会社との間で契約が交わされる毎に（または、スポンサーが運営会社にスポンサー提供情報のユーザへの提供依頼をする毎に）、シリアルな番号を生成し、生成した番号を契約Ｎｏとして、スポンサー情報登録部１２０に登録されたスポンサー情報の「契約Ｎｏ」欄に登録する。なお、契約Ｎｏは、同じスポンサーであっても、契約毎に異なる番号となる。
【００５２】
「スポンサーＮｏ」欄は、各スポンサーに割り当てられた番号（以下、スポンサーＮｏと称する）を登録する欄である。情報管理部１６０は、シリアルな番号を生成し、生成した番号をスポンサーＮｏとして、スポンサー情報登録部１２０に登録されたスポンサー情報の「スポンサーＮｏ」欄に登録する。なお、スポンサーＮｏは、契約Ｎｏが異なっても、同じスポンサーであれば、同じ番号となる。
【００５３】
また、図２２は、契約Ｎｏ毎に、「項目」欄に、「名称」欄や、「代表者」欄、「担当者」欄、「電話番号」欄、「ＦＡＸ番号」欄、「ＵＲＬ」欄、「メールアドレス」欄、「スポンサー費用」欄、「分配上限比率」欄、「分配費用の上限値（総額）」欄、「提供回数（予測値）」欄、「提供期間」欄、「分配費用の合計」欄、「設定条件１」〜「設定条件１０」欄、「通信履歴」欄、「送信停止」欄、その他の欄が形成されたスポンサー情報を示している。
【００５４】
「名称」欄や、「代表者」欄、「担当者」欄、「電話番号」欄、「ＦＡＸ番号」欄、「（ホームページの）ＵＲＬ」欄、「（電子）メールアドレス」欄などは、スポンサーに固有な情報を登録する欄である。
【００５５】
「スポンサー費用」欄は、スポンサー費用を登録する欄である。スポンサー費用は、スポンサーがスポンサー提供情報（すなわち、広告やアンケートなどのサービス情報）をユーザに送信してもらう代価として代行業者（すなわち、運営会社）に支払う費用である。
【００５６】
「分配上限比率」欄は、スポンサー費用の中から分配費用としてユーザに分配する上限の比率（以下、分配上限比率と称する）を登録する欄である。分配上限比率は、スポンサーの指示に基づいて、または、スポンサー費用の額に応じて、管理者によって適宜設定される。
【００５７】
「分配費用の上限値（総額）」欄は、スポンサー費用の中から分配費用としてユーザに分配する総額の上限値（以下、分配費用の上限値と称する）を登録する欄である。分配費用の上限値は、情報管理部１６０がスポンサー費用情報と分配上限比率とを掛け合わせることによって算出される。
【００５８】
「提供回数（予測値）」欄は、スポンサー提供情報の提供回数の予測値を登録する欄である。提供回数の予測値は、スポンサー費用に応じて定まる情報である。提供回数の予測値は、情報管理部１６０（または管理者）がスポンサー費用情報に基づいて算出された分配費用の上限値を後述の「一提供毎の付与ポイント」の平均値で割ることによって算出される。情報管理部１６０は、スポンサー提供情報の提供回数がスポンサー情報登録部１２０に登録された提供回数の予測値を超過した場合に、ユーザ装置３００へのスポンサー提供情報の送信を停止する。
【００５９】
「提供期間」欄は、スポンサー提供情報の提供期間を登録する欄である。提供期間は、スポンサー費用に応じて定まる情報である。提供期間は、管理者によってスポンサー費用に応じて適宜設定される。情報管理部１６０は、スポンサー提供情報の提供期間がスポンサー情報登録部１２０に登録された提供期間を超過した場合に、ユーザ装置３００へのスポンサー提供情報の送信を停止する。
【００６０】
なお、情報管理装置１００は、「名称」欄や、「代表者」欄、「担当者」欄、「電話番号」欄、「ＦＡＸ番号」欄、「（ホームページの）ＵＲＬ」欄、「メールアドレス」欄、「スポンサー費用」欄、「提供期間」欄などに登録する情報を、スポンサー装置２００から電子情報として取得することができる。
【００６１】
「設定条件」欄は、スポンサー提供情報を送信するユーザを抽出するために、スポンサーによって設定された条件を登録する欄である。
【００６２】
「通信履歴」欄は、情報管理装置１００とスポンサー装置２００との間で送受信された通信履歴や、情報管理装置１００とユーザ装置３００との間の送受信された通信履歴を登録する欄である。通信履歴には、提供日時や、スポンサー提供情報を送信した宛先のユーザＮｏ、分配費用、支払い処理日、支払い方法などの情報を含めることができる。情報管理部１６０は、契約Ｎｏ毎に、スポンサー提供情報をユーザ装置３００に送信した場合や、ユーザ装置３００からユーザからの応答情報（すなわち、返信用のキーワードやアンケートの回答情報など）を受信した場合、ユーザへの分配費用を算出した場合、ユーザに分配費用を支払った場合などに、これらの通信履歴をスポンサー情報登録部１２０に登録する。
【００６３】
「送信停止」欄は、スポンサー提供情報の送信を停止する場合に、管理者によって予め定められた、送信停止フラグ（すなわち、スポンサー提供情報の送信停止を意味するフラグ）を登録する欄である。以下、送信停止フラグが登録されたスポンサーと送信停止フラグが登録されていないスポンサーとを区別する場合に、前者を送信停止スポンサーと称し、後者を送信継続スポンサーと称する。
【００６４】
図２２は、契約Ｎｏが「７０４３」のスポンサー情報として、スポンサーＮｏが「１６７８ｂａ」、名称が「○○○○株式会社」、代表者が「××××」、担当者が「××××」、電話番号が「０３−××××−××××」、ＦＡＸ番号が「０３−××××−××××」、ＵＲＬが「http://www.a01.co.jp」、メールアドレスが「aabbcc@xxyy.ne.jp」、スポンサー費用が「１，０００，０００円」、分配上限比率が「７５％」、分配費用の上限値が「７５０，０００円」、提供回数の予測値が「２５００回」、提供期間が「２００４０７０１〜２００４０９３０」、分配費用の合計が「５２６，５５０円」となっていることを示している。
【００６５】
また、図２２は、契約Ｎｏが「７０４３」のスポンサー情報の設定条件１〜３として、抽出するユーザの結婚歴が「未婚」、性別が「男性」、住所が「東京」または「埼玉」となっていることを示している。
【００６６】
また、図２２は、契約Ｎｏが「７０４３」のスポンサー情報として、通信履歴が「××××××」、送信停止が空白（すなわち、存在せず）となっていることを示している。
【００６７】
ユーザ情報登録部１３０，１３０’は、ユーザ情報を登録するメモリ領域である。ユーザは、ユーザ装置３００の入力部３８０の入力手段（例えば、キーボードやマウスなど）を操作してユーザ情報を入力する。すると、ユーザ装置３００は、情報処理部３６０における処理によって、通信部３１０を介して、ユーザ情報を情報管理装置１００に送信する。情報管理装置１００は、ユーザ装置３００から送信されたユーザ情報を通信部１１０で受信し、受信したユーザ情報をユーザ情報登録部１３０に登録する。なお、ユーザ情報登録部１３０は、スポンサー提供情報の送信が不可能になると、そのユーザのユーザ情報をユーザ情報登録部１３０’に送信してユーザ情報登録部１３０’に登録させた後、そのユーザのユーザ情報を消去する。
【００６８】
なお、ユーザ情報登録部１３０に格納されたユーザ情報は、各ユーザ情報がスポンサー提供情報を受け付けなくなると（すなわち、送信停止フラグが記録されると）、受け付けなくなったユーザ情報をユーザ情報登録部１３０’に送信してユーザ情報登録部１３０’に格納させるとともに、自身から消去する。ただし、ユーザ情報登録部１３０は、送信停止フラグが記録されたユーザ情報であっても、分配費用の支払いが未処理となっている場合は、分配費用の支払いが処理されるまで、そのユーザ情報を格納し続ける。
【００６９】
図２３は、ユーザ情報登録部１３０に登録されたユーザ情報の一例を示す図である。なお、ユーザ情報登録部１３０’に登録されるユーザ情報も、図２３と同様の構成になっている。
【００７０】
図２３に示す例は、「登録Ｎｏ」や、「ユーザＮｏ」、「項目」、「データ」などの欄が形成されたユーザ情報を示している。
【００７１】
「登録Ｎｏ」欄は、ユーザ登録毎に割り当てられた番号（以下、登録Ｎｏと称する）を登録する欄である。情報管理部１６０は、ユーザ登録される毎に、シリアルな番号を生成し、生成した番号を登録Ｎｏとして、ユーザ情報登録部１３０に登録されたユーザ情報の「登録Ｎｏ」欄に登録する。
【００７２】
「ユーザＮｏ」欄は、各ユーザに割り当てられた番号（以下、ユーザＮｏと称する）を登録する欄である。情報管理部１６０は、シリアルな番号を生成し、生成した番号をユーザＮｏとして、ユーザ情報登録部１３０に登録されたユーザ情報の「ユーザＮｏ」欄に登録する。
【００７３】
また、図２３は、登録Ｎｏ毎に、「項目」欄に、「一提供毎の付与ポイント」欄や、「未処理積算ポイント」欄、「ポイント換算額」欄、「未処理積算分配費用」欄、「処理済分配費用」欄、「支払い処理履歴」欄、「ニックネーム」欄や、「パスワード」欄、「メールアドレス」欄、「電話番号」欄、「住所エリア」欄、「性別」欄、「年齢」欄、「職業」欄、「年収」欄、「結婚歴」欄、「子供の人数」欄、「持ち家の有無」欄、「車の有無」欄、「趣味」欄、「好きなブランド」欄、「最寄の駅」欄、「よく行くエリア」欄、「支払い方法」欄、「振込先」欄、「振込元」欄、「通信履歴」欄、「送信停止」欄、その他の欄が形成されたユーザ情報を示している。
【００７４】
「一提供毎の付与ポイント」欄は、スポンサー提供情報がユーザに提供される毎に、ユーザに付与されるポイント（以下、一提供毎の付与ポイントと称する）を登録する欄である。なお、ユーザは、多くの項目にユーザ情報を登録するほど多くのポイントが得られるようになっている。情報管理装置１００は、スポンサー提供情報をユーザ装置３００に送信しただけでは、ポイントをユーザに付与しない。その代わりに、情報管理装置１００は、スポンサー提供情報をユーザ装置３００に送信した後、ユーザからの応答情報（すなわち、返信用のキーワードやアンケートの回答情報など）をユーザ装置３００から受信した場合に、ポイントをユーザに付与する。
【００７５】
「未処理積算ポイント」欄は、ユーザへの分配費用の支払いが未処理となっている、ユーザが獲得したポイントの積算値（以下、未処理積算ポイントと称する）を登録する欄である。
【００７６】
「ポイント換算額」欄は、ポイントに対する現金（例えば、円）の換算額（以下、ポイント換算額と称する）を登録する欄である。なお、「ポイント換算額」欄は、スポンサー情報登録部１２０とユーザ情報登録部１３０の両方に形成することも可能である。例えば、スポンサーとユーザが異なる国に属する場合に、「ポイント換算額」欄に格納されるポイント換算額は、スポンサーとユーザが、それぞれ、属する国の通貨単位の額となる。情報管理装置１００の分配費用算出部１４０は、為替相場における日々の変動に応じて、ポイント換算額を、一方の国（例えば、ユーザの国）の通貨単位の額から他方の国（例えば、スポンサーの国）の通貨単位の額に変換して用いることになる。
【００７７】
「未処理積算分配費用」欄は、ユーザへの支払いが未処理となっている、ユーザが獲得した分配費用の積算金額（以下、未処理積算分配費用と称する）を登録する欄である。未処理積算分配費用は、情報管理部１６０が未処理積算ポイントとポイント換算額とを掛け合わせることによって算出される。
【００７８】
「処理済分配費用」欄は、ユーザへの支払いがなされた分配費用の合計を登録する欄である。
【００７９】
「支払い処理履歴」欄は、ユーザへの分配費用の支払いを処理した履歴を登録する欄である。
【００８０】
「ニックネーム」欄や、「パスワード」欄、「メールアドレス」欄、「電話番号」欄、「住所エリア」欄、「性別」欄、「年齢」欄、「職業」欄、「年収」欄、「結婚歴」欄、「子供の人数」欄、「持ち家の有無」欄、「車の有無」欄、「趣味」欄、「好きなブランド」欄、「最寄の駅」欄、「よく行くエリア」欄などは、ユーザに固有な情報を登録する欄である。
【００８１】
「支払い方法」欄は、ユーザへの分配費用の支払い方法を登録する欄である。支払い方法は、分配費用を電子マネーとしてユーザ装置３００に送信する「ダイレクト」と、分配費用をユーザによって指定された金融機関の口座に振り込む「口座振込」とがある。
【００８２】
「振込先」欄は、支払い方法が「口座振込」となる場合に、分配費用の振込先となる金融機関の口座を登録する欄である。
【００８３】
「振込元」欄は、支払い方法が「口座振込」となる場合に、分配費用の振込元を登録する欄である。振込元は、ユーザによって設定されるが、空白（すなわち、存在せず）にすることもできる。この場合、情報管理装置１００が、運営会社の社名を登録することになる。
【００８４】
「通信履歴」欄は、情報管理装置１００とユーザ装置３００との間の送受信された通信履歴を登録する欄である。通信履歴には、提供日時や、提供先ユーザＮｏ、分配費用、支払い処理日、支払い方法などの情報を含めることができる。情報管理部１６０は、登録Ｎｏ毎に、スポンサー提供情報をユーザ装置３００に送信した場合や、ユーザ装置３００からユーザからの応答情報（すなわち、返信用のキーワードやアンケートの回答情報など）を受信した場合、ユーザへの分配費用を算出した場合、ユーザに分配費用を支払った場合などに、これらの通信履歴をスポンサー情報登録部１２０に登録する。
【００８５】
「送信停止」欄は、スポンサー提供情報の送信を停止する場合に、送信停止フラグを登録する欄である。情報管理部１６０は、例えば、ユーザ装置３００がスポンサー提供情報を受信しなくなった場合に、送信停止フラグを、ユーザ情報登録部１３０に登録されたユーザ情報の「送信停止」欄に登録する。
【００８６】
図２３は、登録Ｎｏが「２５７８９６」のユーザ情報として、ユーザＮｏが「１５６８１ａ」、一提供毎の付与ポイントが「１５０ポイント」、未処理の積算ポイントが「３，０００ポイント」、ポイント換算額が「１ポイント＝１円」、未処理の積算分配費用が「３，０００円」、処理済みの分配費用が「０円」、支払い処理履歴が空白（すなわち、存在せず）、ニックネームが「××××」、パスワードが「××××」、電子メールアドレスが「ddeeff@yyzz.ne.jp」、電話番号が「０３−××××−××××」、住所エリアが「東京」、性別が「男」、年齢が「２６」、職業が「会社員」、年収が「５０１〜７５０万円」、結婚歴が「未婚」、子供の人数が「０」、持ち家の有無が「無し」、車の有無が「無し」、趣味が「××××」、好きなブランドが「××××」、最寄の駅が「××××」、よく行くエリアが「××××」、支払い方法が「ダイレクト」、振込先が空白（すなわち、存在せず）、振込元が空白（すなわち、存在せず）、通信履歴が空白（すなわち、存在せず）、送信停止が空白（すなわち、存在せず）となっていることを示している。
【００８７】
また、図２３は、登録Ｎｏが「２５７８９７」のユーザ情報として、ユーザＮｏが「２３４２１ｂ」、支払い方法が「口座振込」、振込先が「○○○○○○」、振込元が「××××××」、過去の通信履歴が「××××」、送信停止が送信停止フラグである「××××」となっていることを示している。
【特許文献１】特開２００４−１５２０７３号公報（第３３段落〜第７８段落、図１〜図５）
【発明の開示】
【発明が解決しようとする課題】
【００８８】
ところで、本出願人の先願発明の情報管理装置は、ユーザが獲得した分配費用を、財団法人や学校法人などの、公益性の高い団体に、容易に寄付できるようにするという観点が欠けていた。
【００８９】
そのため、この先願発明の情報管理装置には、第１に、寄付先の登録が困難であるという課題があった。
【００９０】
例えば、この先願発明の情報管理装置は、分配費用の支払い方法として「口座振込」を選択する機能を有している。この機能を用いれば、分配費用を他者の口座に振り込むこと、すなわち、分配費用を他者に寄付することができる。しかしながら、この機能を用いるには、ユーザは、寄付先の口座を調べる必要があるとともに、寄付先の口座を正確に入力する必要がある。この点について、ユーザは、寄付先の口座を調べる手法を知らない上に、寄付先の口座を調べることに躊躇する傾向がある。また、ユーザは、寄付先の口座を誤ってメモに書き留める場合などがあるため、必ずしも寄付先の口座を正確に入力できない。そのため、ユーザは、この機能を用いることが容易ではないため、寄付先の登録が、困難であった。
【００９１】
また、この先願発明の情報管理装置には、第２に、複数の寄付先を登録することができないという課題、および、寄付先に応じて、寄付の割合を変えて登録することができないという課題があった。
【００９２】
すなわち、この先願発明の情報管理装置は、分配費用の支払い方法として「ダイレクト」または「口座振込」のいずれか一方を選択する構成になっている。したがって、寄付先を複数登録することができなかった。そのため、当然ながら、寄付先に応じて、寄付の割合を変えて登録することもできなかった。
【００９３】
そこで、この発明は、これらの課題を解決する情報管理装置および情報管理方法を提供することを目的とする。
【課題を解決するための手段】
【００９４】
上述の課題を解決するために、請求項１に記載の情報管理装置によれば、情報の送り手となるスポンサーに関するスポンサー情報を登録するスポンサー情報登録手段と、情報の受け手となるユーザに関する情報をユーザ登録するユーザ情報登録手段と、ユーザによって利用されるユーザ装置と通信網を介して通信する通信手段と、スポンサーからユーザに提供されるスポンサー提供情報の送信を管理する情報管理手段と、ユーザからの寄付を受け付けている団体に関する情報を団体情報として登録する団体情報登録手段とを有する。
【００９５】
上述の情報管理手段は、ユーザが任意の団体を寄付先としてユーザ情報登録手段に登録する場合に、団体情報登録手段から団体情報を読み出し、ユーザが団体情報の中から１乃至複数の寄付先を選択入力するための寄付先選択欄とユーザが寄付先に応じて寄付の割合を指定入力するための寄付の割合入力欄とを有する寄付先登録用画面をユーザ装置に表示させるための寄付先登録用情報と、団体情報登録手段から読み出した団体情報とを、当該ユーザのユーザ装置に送信する。さらに、この情報管理手段は、当該ユーザが選択した寄付先と寄付の割合とを当該ユーザの寄付先情報として受信してユーザ情報登録手段に登録する。
【００９６】
なお、情報管理手段は、寄付の割合を、寄付の割合の合計が１００％を超えない範囲内でかつ一団体につき０〜１００％の範囲内で、ユーザに任意に設定させることができる。
【００９７】
例えば、ユーザが寄付先としてＡ社とＢ社を選択した場合に、情報管理手段は、５０％をＡ社分とし、４０％をＢ社分とし、残り（１０％）をユーザ自身の獲得分として、寄付の割合をユーザに設定させることができる。また、例えば、ユーザが寄付先としてＡ社とＢ社を選択した場合に、情報管理手段は、１００％をＡ社分とし、０％をＢ社分とし、残り（０％）をユーザ自身の獲得分として、寄付の割合をユーザに設定させることもできる。なお、この場合、Ｂ社は、仮登録されただけの状態となる。ユーザは、場面に応じて、Ｂ社への寄付の割合を適宜増加することになる。
【００９８】
請求項２に記載の情報管理装置によれば、上述の情報管理手段は、スポンサー提供情報をユーザのユーザ装置に送信する場合に、スポンサー情報登録手段に登録されているスポンサー情報を読み出して、当該スポンサー情報に基づいてスポンサー提供情報を送信するための条件に適合しているユーザを条件適合者として抽出する。そして、情報管理手段は、当該条件適合者のユーザ装置にスポンサー提供情報を送信する。
【００９９】
請求項３に記載の情報管理装置によれば、上述のスポンサー情報登録手段は、スポンサー情報として、条件適合者の中から、スポンサーにとって寄付先として好ましくない団体を寄付先に登録しているユーザを除外するための除外団体を登録している。そして、上述の情報管理手段は、スポンサー提供情報をユーザのユーザ装置に送信する場合に、スポンサー情報登録手段に登録されているスポンサー情報を読み出して、当該スポンサー情報に含まれている前記除外団体に基づいて、条件適合者の中から、除外団体を寄付先に登録しているユーザを除外する。これにより、情報管理手段は、送信予定者を抽出する。そして、情報管理手段は、当該送信予定者のユーザ装置にスポンサー提供情報を送信する。
【０１００】
請求項４に記載の情報管理装置によれば、上述の情報管理手段は、ユーザがポイントを獲得した場合でかつ当該ユーザが寄付先と寄付の割合を寄付先情報としてユーザ情報登録手段に登録している場合に、ユーザ情報登録手段に登録された当該ユーザの寄付先情報を読み出して、寄付先毎に、当該ユーザが獲得したポイントと寄付先情報に含まれる寄付の割合に基づいて寄付ポイントを算出し、算出した寄付ポイントを、寄付先である団体が獲得した団体獲得ポイントとして団体情報登録手段に登録する。
【０１０１】
請求項５に記載の情報管理装置によれば、さらに、団体情報登録手段に登録された各団体の団体獲得ポイントを読み出して、団体毎に、団体獲得ポイントの積算値に基づいて、各団体に分配すべき分配費用を算出する分配費用算出手段と、団体毎に、分配費用算出手段によって算出されて分配費用の支払い処理を実行する支払い処理手段とを有する。そして、上述の団体情報登録手段は、団体情報として、各団体の名称と、各団体が金融機関に開設した口座とが関連付けて登録されており、また、上述のスポンサー情報登録手段は、スポンサー情報の一種として、スポンサーがスポンサー提供情報をユーザに送信してもらう代価として代行業者に支払うスポンサー費用が登録されており、上述の支払い処理手段は、スポンサー情報登録手段に登録されたスポンサー費用の一部を原資として、団体毎に、分配費用算出手段によって算出された分配費用を団体情報登録手段に登録された口座に振り込むことにより、分配費用の支払い処理を行う。
【０１０２】
請求項６に記載の情報管理装置によれば、スポンサー情報登録手段は、スポンサー情報として、スポンサーによって好ましい寄付先として推奨された推奨団体と、推奨団体を推奨する推奨理由とが登録されている。そして、上述の情報管理手段は、スポンサー提供情報をユーザのユーザ装置に送信する場合に、スポンサー情報登録手段から推奨団体と推奨理由とを読み出し、スポンサー提供情報を表示するためのスポンサー提供情報表示欄と推奨団体を寄付先として選択入力するための推奨団体表示欄と推奨理由を表示するための推奨理由表示欄とを有するスポンサー提供情報表示画面をユーザ装置に表示させるための推奨団体表示用情報と、スポンサー提供情報と、推奨団体と、推奨理由とを、ユーザのユーザ装置に送信する。
【０１０３】
請求項７に記載の情報管理装置によれば、団体情報登録手段は、団体毎に、寄付を行った寄付ユーザと寄付ユーザの寄付累計ポイントとが対応付けて登録されている。そして、上述の情報管理手段は、任意の情報をユーザのユーザ装置に送信する場合に、団体情報登録手段からユーザが寄付を行った団体における各寄付ユーザと各寄付ユーザの寄付累計ポイントとを読み出し、読み出した各寄付ユーザと各寄付ユーザの寄付累計ポイントとに基づいて、ユーザが寄付した団体におけるユーザの寄付ランキングを特定し、特定した寄付ランキングをユーザ装置に表示させるための寄付ランキング表示用情報を、ユーザのユーザ装置に送信する。
【０１０４】
請求項８に記載の情報管理方法によれば、請求項１に記載の装置発明と同様に、情報の送り手となるスポンサーに関するスポンサー情報を登録するスポンサー情報登録手段と、情報の受け手となるユーザに関するユーザ情報を登録するユーザ情報登録手段と、ユーザによって利用されるユーザ装置と通信網を介して通信する通信手段と、スポンサーからユーザに提供されるスポンサー提供情報の送信を管理する情報管理手段と、ユーザからの寄付を受け付けている団体に関する情報を団体情報として登録する団体情報登録手段とを有する。
【０１０５】
上述の情報管理手段は、団体情報登録手段から団体情報を読み出し、ユーザが団体情報の中から１乃至複数の寄付先を選択入力するための寄付先選択欄とユーザが寄付先に応じて寄付の割合を指定入力するための寄付の割合入力欄とを有する寄付先登録用画面をユーザ装置に表示させるための寄付先登録用情報と、団体情報登録手段から読み出した団体情報とを、当該ユーザのユーザ装置に送信する団体情報送信工程と、ユーザが選択した寄付先と寄付の割合とを当該ユーザの寄付先情報として受信してユーザ情報登録手段に登録する寄付先情報登録工程とを実行する。
【０１０６】
請求項９に記載の情報管理方法によれば、請求項２に記載の装置発明と同様に、スポンサー提供情報をユーザのユーザ装置に送信する場合に、情報管理手段により、スポンサー情報登録手段に登録されているスポンサー情報を読み出して、当該スポンサー情報に基づいてスポンサー提供情報を送信するための条件に適合しているユーザを条件適合者として抽出する条件適合者抽出工程と、情報管理手段により、当該条件適合者のユーザ装置にスポンサー提供情報を送信するスポンサー提供情報送信工程とを実行する。
【０１０７】
請求項１０に記載の情報管理方法によれば、請求項３に記載の装置発明と同様に、上述のスポンサー情報登録手段は、スポンサー情報として、条件適合者の中から、スポンサーにとって寄付先として好ましくない団体を寄付先に登録しているユーザを除外するための除外団体を登録している。そして、上述の情報管理手段により、スポンサー提供情報をユーザのユーザ装置に送信する場合に、スポンサー情報登録手段に登録されているスポンサー情報を読み出して、当該スポンサー情報に含まれている前記除外団体に基づいて、条件適合者の中から、除外団体を寄付先に登録しているユーザを除外することにより送信予定者を抽出する送信予定者抽出工程と、情報管理手段により、当該送信予定者のユーザ装置にスポンサー提供情報を送信するスポンサー提供情報送信工程とを実行する。
【０１０８】
請求項１１に記載の情報管理方法によれば、請求項４に記載の装置発明と同様に、情報管理手段は、ユーザ情報登録手段に登録された当該ユーザの前記寄付先情報を読み出して、寄付先毎に、当該ユーザが獲得したポイントと寄付先情報に含まれる寄付の割合に基づいて寄付ポイントを算出する寄付先ポイント算出工程と、寄付先毎に、寄付先ポイント算出工程で算出した寄付ポイントを、寄付先である団体が獲得した団体獲得ポイントとして団体情報登録手段に登録する寄付先ポイント登録工程とを実行する。
【０１０９】
請求項１２に記載の情報管理方法によれば、請求項５に記載の装置発明と同様に、さらに、団体情報登録手段に登録された各団体の団体獲得ポイントを読み出して、団体毎に、団体獲得ポイントの積算値に基づいて、各団体に分配すべき分配費用を算出する分配費用算出手段と、団体毎に、分配費用算出手段によって算出されて分配費用の支払い処理を実行する支払い処理手段とを有している。そして、上述の団体情報登録手段は、団体情報として、各団体の名称と、各団体が金融機関に開設した口座とが関連付けて登録する団体情報登録工程を実行する。また、上述のスポンサー情報登録手段は、スポンサー情報の一種として、スポンサーが前記スポンサー提供情報をユーザに送信してもらう代価として代行業者に支払うスポンサー費用を登録するスポンサー情報登録工程を実行する。また、上述の支払い処理手段は、スポンサー情報登録手段に登録されたスポンサー費用の一部を原資として、団体毎に、分配費用算出手段によって算出された分配費用を団体情報登録手段に登録された口座に振り込むことにより、分配費用を支払う支払い処理工程を実行する。
【０１１０】
請求項１３に記載の情報管理方法によれば、スポンサー情報登録手段は、スポンサー情報として、スポンサーによって好ましい寄付先として推奨された推奨団体と、推奨団体を推奨する推奨理由とを登録している。そして、スポンサー提供情報をユーザのユーザ装置に送信する場合に、上述の情報管理手段により、スポンサー情報登録手段から推奨団体と推奨理由とを読み出し、スポンサー提供情報を表示するためのスポンサー提供情報表示欄と推奨団体を寄付先として選択入力するための推奨団体表示欄と推奨理由を表示するための推奨理由表示欄とを有するスポンサー提供情報表示画面をユーザ装置に表示させるための推奨団体表示用情報と、スポンサー提供情報と、推奨団体と、推奨理由とを、ユーザのユーザ装置に送信するスポンサー提供情報送信工程を実行する。
【０１１１】
請求項１４に記載の情報管理方法によれば、団体情報登録手段は、団体毎に、寄付を行った寄付ユーザと寄付ユーザの寄付累計ポイントとを対応付けて登録している。そして、任意の情報をユーザのユーザ装置に送信する場合に、上述の情報管理手段により、団体情報登録手段からユーザが寄付を行った団体における各寄付ユーザと各寄付ユーザの寄付累計ポイントとを読み出し、読み出した各寄付ユーザと各寄付ユーザの寄付累計ポイントとに基づいて、ユーザが寄付した団体におけるユーザの寄付ランキングを特定し、特定した寄付ランキングをユーザ装置に表示させるための寄付ランキング表示用情報を、ユーザのユーザ装置に送信する寄付ランキング情報送信工程を実行する。
【０１１２】
請求項１５に記載のプログラムによれば、コンピュータにより、以下の構成の情報管理装置、すなわち、情報の送り手となるスポンサーに関するスポンサー情報を登録するスポンサー情報登録手段と、情報の受け手となるユーザに関するユーザ情報を登録するユーザ情報登録手段と、ユーザによって利用されるユーザ装置と通信網を介して通信する通信手段と、スポンサーからユーザに提供されるスポンサー提供情報の送信を管理する情報管理手段と、ユーザからの寄付を受け付けている団体に関する情報を団体情報として登録する団体情報登録手段とを有する情報管理装置を実現する。
【０１１３】
このプログラムによれば、ユーザが任意の団体を寄付先としてユーザ情報登録手段に登録する場合に、情報管理手段によって、団体情報登録手段から団体情報を読み出し、ユーザが団体情報の中から１乃至複数の寄付先を選択入力するための寄付先選択欄とユーザが寄付先に応じて寄付の割合を指定入力するための寄付の割合入力欄とを有する寄付先登録用画面をユーザ装置に表示させるための寄付先登録用情報と、団体情報登録手段から読み出した団体情報とを、当該ユーザのユーザ装置に送信するように、コンピュータを駆動する。また、このプログラムによれば、ユーザが選択した寄付先と寄付の割合とを当該ユーザの寄付先情報として受信してユーザ情報登録手段に登録するように、駆動する。これにより、寄付先情報の登録処理を容易に行う。
【発明の効果】
【０１１４】
請求項１に記載の情報管理装置によれば、団体情報登録手段に予め登録された団体情報に基づいて、ユーザが団体情報の中から１乃至複数の寄付先を選択入力するための寄付先選択欄とユーザが寄付先に応じて寄付の割合を指定入力するための寄付の割合入力欄とを有する寄付先登録用画面を、ユーザに提示することができる。
【０１１５】
これにより、ユーザは、寄付先選択欄に提示された団体情報の中から１乃至複数の寄付先を選択入力するだけで、寄付先を容易に登録することができる。そのため、この情報管理装置は、従来例における第１の課題、すなわち、寄付先の登録が困難であるという課題を解決することができる。
【０１１６】
また、ユーザは、寄付の割合入力欄に寄付の割合を指定入力するだけで、各寄付先に応じて、異なる寄付の割合を容易に登録することができる。そのため、この情報管理装置は、従来例における第２の課題、すなわち、複数の寄付先を登録することができないという課題、および、寄付先に応じて、寄付の割合を変えて登録することができないという課題を解決することができる。
【０１１７】
なお、請求項２〜５のいずれか１項に記載の情報管理装置によれば、上述した請求項１に記載の装置発明の効果の他に、以下の効果を奏し得る。
【０１１８】
請求項２に記載の情報管理装置によれば、スポンサー提供情報を送信するための条件に適合している条件適合者のユーザ装置に、スポンサー提供情報を送信することができる。
【０１１９】
請求項３に記載の情報管理装置によれば、条件適合者の中から除外団体を寄付先に登録しているユーザを除外した送信予定者のユーザ装置に、スポンサー提供情報を送信することができる。
【０１２０】
請求項４に記載の情報管理装置によれば、ユーザがポイントを獲得する毎に、当該ユーザが寄付先に寄付する寄付ポイントが算出され、その寄付ポイントが寄付先である団体が獲得した団体獲得ポイントとして団体情報登録手段に登録される。そのため、この情報管理装置は、団体毎に、団体獲得ポイントを管理することができる。例えば、この情報管理装置は、各団体が獲得した団体獲得ポイントの積算値を認識したり、団体獲得ポイントの清算の有無、すなわち、団体獲得ポイントに対する分配費用の支払い処理の有無などを認識することができる。
【０１２１】
請求項５に記載の情報管理装置によれば、スポンサー情報登録手段に登録されたスポンサー費用の一部を原資として、団体毎に、分配費用を算出して、算出した分配費用を団体情報登録手段に登録された口座に振り込むことにより、分配費用の支払い処理を行うことができる。
【０１２２】
請求項６に記載の情報管理装置によれば、スポンサー提供情報をユーザのユーザ装置に送信する場合に、スポンサーによって好ましい寄付先として推奨された推奨団体とその推奨理由とをユーザ装置に表示させることができる。なお、ユーザは、推奨理由に賛同する場合に、ユーザ装置に表示された推奨団体を選択入力する。これにより、ユーザは、送信されたスポンサー提供情報を閲覧することにより獲得するポイントの一部または全てを選択入力した推奨団体に寄付することができる。したがって、情報管理装置は、ユーザの寄付行為を促進させることができる。
【０１２３】
請求項７に記載の情報管理装置によれば、ユーザが寄付した団体におけるユーザの寄付ランキングをユーザ装置に表示させることができる。これにより、情報管理装置は、ユーザの競争心を喚起して、ユーザの寄付行為を促進させることができる。
【０１２４】
また、請求項８に記載の情報管理方法によれば、請求項１に記載の装置発明と同様に、団体情報登録手段に予め登録された団体情報に基づいて、ユーザが団体情報の中から１乃至複数の寄付先を選択入力するための寄付先選択欄とユーザが寄付先に応じて寄付の割合を指定入力するための寄付の割合入力欄とを有する寄付先登録用画面を、ユーザに提示することができる。
【０１２５】
これにより、ユーザは、寄付先選択欄に提示された団体情報の中から１乃至複数の寄付先を選択入力するだけで、寄付先を容易に登録することができる。そのため、この情報管理方法は、従来例における第１の課題、すなわち、寄付先の登録が困難であるという課題を解決することができる。
【０１２６】
また、ユーザは、寄付の割合入力欄に寄付の割合を指定入力するだけで、各寄付先に応じて、異なる寄付の割合を容易に登録することができる。そのため、この情報管理方法は、従来例における第２の課題、すなわち、複数の寄付先を登録することができないという課題、および、寄付先に応じて、寄付の割合を変えて登録することができないという課題を解決することができる。
【０１２７】
なお、請求項９〜１４のいずれか１項に記載の情報管理方法によれば、上述した請求項８に記載の方法発明の効果の他に、以下の効果を奏し得る。
【０１２８】
請求項９に記載の情報管理方法によれば、請求項２に記載の装置発明と同様に、スポンサー提供情報を送信するための条件に適合している条件適合者のユーザ装置に、スポンサー提供情報を送信することができる。
【０１２９】
請求項１０に記載の情報管理方法によれば、請求項３に記載の装置発明と同様に、条件適合者の中から除外団体を寄付先に登録しているユーザを除外した送信予定者のユーザ装置に、スポンサー提供情報を送信することができる。
【０１３０】
請求項１１に記載の情報管理方法によれば、請求項４に記載の装置発明と同様に、ユーザがポイントを獲得する毎に、当該ユーザが寄付先に寄付する寄付ポイントが算出され、その寄付ポイントが寄付先である団体が獲得した団体獲得ポイントとして団体情報登録手段に登録される。そのため、この情報管理方法は、団体毎に、団体獲得ポイントを管理することができる。
【０１３１】
請求項１２に記載の情報管理方法によれば、請求項５に記載の装置発明と同様に、スポンサー情報登録手段に登録されたスポンサー費用の一部を原資として、団体毎に、分配費用を算出して、算出した分配費用を団体情報登録手段に登録された口座に振り込むことにより、分配費用の支払い処理を行うことができる。
【０１３２】
請求項１３に記載の情報管理方法によれば、請求項６に記載の装置発明と同様に、スポンサー提供情報をユーザのユーザ装置に送信する場合に、スポンサーによって好ましい寄付先として推奨された推奨団体とその推奨理由とをユーザ装置に表示させることができる。これにより、ユーザの寄付行為を促進させることができる。
【０１３３】
請求項１４に記載の情報管理方法によれば、請求項７に記載の装置発明と同様に、ユーザが寄付した団体におけるユーザの寄付ランキングをユーザ装置に表示させることができる。これにより、ユーザの競争心を喚起して、ユーザの寄付行為を促進させることができる。
【０１３４】
また、請求項１５に記載のプログラムによれば、請求項１に記載の装置発明と同様に、団体情報登録手段に予め登録された団体情報に基づいて、ユーザが団体情報の中から１乃至複数の寄付先を選択入力するための寄付先選択欄とユーザが寄付先に応じて寄付の割合を指定入力するための寄付の割合入力欄とを有する寄付先登録用画面を、ユーザに提示することができる。
【０１３５】
これにより、ユーザは、寄付先選択欄に提示された団体情報の中から１乃至複数の寄付先を選択入力するだけで、寄付先を容易に登録することができる。
【０１３６】
また、ユーザは、寄付の割合入力欄に寄付の割合を指定入力するだけで、各寄付先に応じて、異なる寄付の割合を容易に登録することができる。
【発明を実施するための最良の形態】
【０１３７】
この発明は、ユーザが獲得した分配費用を、財団法人や学校法人などの、公益性の高い団体に、容易に寄付できるようにするためのものである。
【０１３８】
以下、図を参照して、この発明の実施の形態を説明する。なお、各図において、共通する構成要素や同様な構成要素については、同一の符号を付し、それらの重複する説明を省略することもある。
【０１３９】
［実施例１］
＜情報管理装置の構成について＞
以下、図１と図２を参照して、この発明が適用される情報管理装置の構成につき説明する。
【０１４０】
図１は、この発明の情報管理装置の構成を説明するためのブロック図である。また、図２は、この発明の情報管理装置の機能手段を説明するためのブロック図である。図１と図２中、本出願人の上述した先願発明の情報管理装置と同様の構成要素（図１８と図２１参照）については、同一の符号を付して示す。また、この先願発明の情報管理装置１００を情報管理装置１００ａに読み替えるとともに、この先願発明の情報管理部１６０を情報管理部１６０ａに読み替えて説明する。
【０１４１】
情報管理装置１００ａは、上述の通り、ユーザが獲得した分配費用を公益性の高い団体に容易に寄付できるようにするためのものである。ただし、情報管理装置１００ａは、後述の団体情報登録部１２５に登録された団体であれば、公益性の高い団体でなくても、ユーザが獲得した分配費用を寄付することができる。なお、以下、ユーザからの寄付を受け付けている団体を、寄付受付団体または単に団体と称する。
【０１４２】
情報管理装置１００ａとして機能するサーバは、入力部１８０の入力手段（例えば、各種記憶媒体の読取／書込装置など）を介してプログラム媒体５００ａに格納された管理プログラム５０１ａを読み取って実行することにより、先願発明の情報管理装置１００と同様の機能手段を内部に構築する（図２参照）。なお、管理プログラム５０１ａは、先願発明の管理プログラム５０１に、記憶部１１５の中に団体情報登録部１２５，１２５’を構築する機能、および、情報管理部１６０ａの中に条件適合者抽出手段１６２と団体情報管理手段１６４と寄付先情報管理手段１６６とを構築する機能を付加したプログラムである。
【０１４３】
この実施例の情報管理装置１００ａは、先願発明の情報管理装置１００と異なり、記憶部１１５の中に団体情報登録部１２５，１２５’が構築され、さらに、情報管理部１６０の中に、条件適合者抽出手段１６２と団体情報管理手段１６４と寄付先情報管理手段１６６とが構築される（図１と図２参照）。
【０１４４】
図１と図２に示す団体情報登録部１２５は、寄付受付団体に関する情報を、団体情報として、登録する。なお、図２に示す団体情報登録部１２５’は、図１と図２に示す団体情報登録部１２５と同様のものである。
【０１４５】
ただし、団体情報登録部１２５は、現在、口座への振込処理が可能な団体の情報のみを登録している。
【０１４６】
これに対して、団体情報登録部１２５’は、現在、口座への振込処理が可能な団体の情報に加え、過去に口座への振込処理が可能であった団体の情報も登録している。
【０１４７】
図１と図２に示す条件適合者抽出手段１６２は、ユーザ情報登録部１３０に登録された登録ユーザの中からスポンサーによって指定された条件（図３の「設定条件１」〜「設定条件１０」欄参照）に適合するユーザを条件適合者として抽出する機能を備えている。これにより、情報管理装置１００ａは、条件適合者にのみ、スポンサー提供情報を送信することができる。
【０１４８】
なお、条件適合者抽出手段１６２は、スポンサーにとって寄付先として好ましくない団体を条件適合者が寄付先に登録している場合に、その条件適合者を除外してスポンサー提供情報を送信する機能を備えている。
【０１４９】
これにより、情報管理装置１００ａは、条件適合者がポイントを獲得し、これにより、寄付処理が行われることになっても、スポンサーにとって寄付先として好ましくない団体に、寄付されるのを防止することができる。
【０１５０】
図１と図２に示す団体情報管理手段１６４は、サーバの管理者によって団体情報が入力部１８０から入力された場合に、団体情報を団体情報登録部１２５に登録する機能を備えている。
【０１５１】
また、団体情報管理手段１６４は、ユーザが任意の団体を寄付先としてユーザ情報登録部１３０に登録する場合に、団体情報登録部１２５から団体情報を読み出し、団体情報に基づいて、ユーザが団体情報の中から１乃至複数の寄付先を選択入力するための寄付先選択欄情報を作成し、この寄付先選択欄情報と、ユーザが寄付先に応じて寄付の割合を指定するための寄付の割合入力欄情報とを、当該ユーザのユーザ装置３００に送信する機能を備えている。当該ユーザのユーザ装置３００は、これら寄付先選択欄情報と寄付の割合入力欄情報に基づいて、後述の寄付先情報登録用画面を表示する（図９参照）。これにより、情報管理装置１００ａは、ユーザ装置３００を介してユーザに団体情報の中から１乃至複数の寄付先を選択入力させるとともに、選択された寄付先に応じて寄付の割合を指定入力させる。
【０１５２】
また、団体情報管理手段１６４は、団体が獲得したポイント（以下、団体獲得ポイントと称する）を団体情報登録部１２５に登録する機能を備えている。
【０１５３】
図１と図２に示す寄付先情報管理手段１６６は、ユーザが任意の団体を寄付先としてユーザ情報登録部１３０に登録する場合に、ユーザがユーザ装置３００を介して団体情報の中から１乃至複数の寄付先を選択入力するとともに、選択された寄付先に応じて寄付の割合を指定入力したときに、１乃至複数の寄付先と寄付の割合を当該ユーザの寄付先情報としてユーザ情報登録部１３０に登録する機能を備えている。
【０１５４】
なお、情報管理装置１００ａとスポンサー装置２００との間で送受信される情報には、スポンサーを特定するために、スポンサー毎に付されたスポンサーＩＤが含まれている。情報管理装置１００ａは、このスポンサーＩＤを識別することによって、情報を送受信しているスポンサー装置２００がどの契約のスポンサーによって使用されている装置であるのかを特定する。これにより、情報管理装置１００ａは、スポンサー装置２００との間で、様々な情報を適正に送受信する。
【０１５５】
また、同様に、情報管理装置１００ａとユーザ装置３００との間で送受信される情報には、ユーザを特定するために、ユーザ毎に付されたユーザＩＤが含まれている。情報管理装置１００ａは、このユーザＩＤを識別することによって、情報を送受信しているユーザ装置３００がどの契約のユーザによって使用されている装置であるのかを特定する。これにより、情報管理装置１００ａは、ユーザ装置３００との間で、様々な情報を適正に送受信する。
【０１５６】
なお、図３に示すスポンサーＮｏは、スポンサーＩＤの一種である。また、図５に示すユーザＮｏは、ユーザＩＤの一種である。
【０１５７】
＜登録情報について＞
以下に、情報管理装置１００ａによって登録される情報につき説明する。
【０１５８】
図３は、スポンサー情報登録部１２０に登録されるスポンサー情報の一例を示す図である。なお、スポンサー情報登録部１２０’に登録されるスポンサー情報も、図３と同様の構成になっている。
【０１５９】
図３に示すスポンサー情報は、図２２に示す従来例のスポンサー情報に、「除外団体１」〜「除外団体５」欄（以下、単に除外団体欄と称する）を付加した構成となっている。
【０１６０】
除外団体欄は、スポンサーにとって寄付先として好ましくない団体を登録するためのものである。以下、除外団体欄に登録される団体を除外団体と称する。除外団体としては、スポンサーの利益に反する団体やスポンサーと競合する団体などがある。除外団体は、スポンサーがスポンサー装置２００の入力部２８０を操作することにより、または、サーバの管理者がスポンサーの指示に基づいて情報管理装置１００ａの入力部１８０を操作することにより、除外団体欄に登録される。なお、図３に示す例では、５つの除外団体欄が設けられているが、サーバの管理者は除外団体欄の数を適宜増減することができる。
【０１６１】
情報管理装置１００ａの条件適合者抽出手段１６２は、スポンサー提供情報をユーザに送信する際に、条件適合者を抽出し、さらに、条件適合者から除外団体を寄付先としてユーザ情報に登録しているユーザ（以下、除外団体登録ユーザと称する）を除外することにより、送信予定者を抽出する。そして、情報管理装置１００ａは、この送信予定者にのみ、スポンサー提供情報を送信する。すなわち、情報管理装置１００ａは、除外団体登録ユーザを除く条件適合者にのみ、スポンサー提供情報を送信することができる。これにより、除外団体登録ユーザを除く条件適合者が、スポンサー提供情報を閲覧することによりポイントを獲得しても、除外団体を除く寄付受付団体にのみ、寄付されることになる。したがって、情報管理装置１００ａは、スポンサー費用の一部を原資とする分配費用が、除外団体に分配されるのを防止することができる。
【０１６２】
図４は、団体情報登録部１２５に登録される団体情報の一例を示す図である。なお、団体情報登録部１２５’に登録される団体情報も、図４と同様の構成になっている。
【０１６３】
図４は、「登録Ｎｏ」や、「団体Ｎｏ」、「項目」、「データ」などの欄が形成された団体情報を示している。
【０１６４】
「登録Ｎｏ」欄は、団体情報が登録される毎に割り当てられた番号（以下、登録Ｎｏと称する）を登録する欄である。情報管理部１６０は、団体情報が登録される毎に、シリアルな番号を生成し、生成した番号を登録Ｎｏとして、「登録Ｎｏ」欄に登録する。
【０１６５】
「団体Ｎｏ」欄は、各団体に割り当てられた番号（以下、団体Ｎｏと称する）を登録する欄である。情報管理部１６０ａは、シリアルな番号を生成し、生成した番号を団体Ｎｏとして、「団体Ｎｏ」欄に登録する。なお、団体Ｎｏは、一団体につき一つだけ割り当てることが好ましい。
【０１６６】
また、図４は、登録Ｎｏ毎に、「項目」欄に、「名称」欄や、「代表者」欄、「担当者」欄、「電話番号」欄、「ＦＡＸ番号」欄、「ＵＲＬ」欄、「メールアドレス」欄、「口座」欄、「未処理積算獲得ポイント」欄、「ポイント換算額」欄、「未処理積算分配費用」欄、「寄付者履歴（未処理分）」欄、「処理済分配費用」欄、「支払い処理履歴」欄、「寄付者履歴（処理済分）」、「取扱い停止」欄、その他の欄が形成された団体情報を示している。
【０１６７】
「名称」欄や、「代表者」欄、「担当者」欄、「電話番号」欄、「ＦＡＸ番号」欄、「（ホームページの）ＵＲＬ」欄、「（電子）メールアドレス」欄などは、団体に固有な情報を登録する欄である。
【０１６８】
「口座」欄は、団体が金融機関に開設した口座を登録する欄である。なお、図４に示す例では、「口座」欄に「○△銀行○△×支店普通口座○○××」という文字情報による口座が登録されているが、文字情報の代わりに、この口座を特定するコード情報を登録するようにしてもよい。
【０１６９】
「未処理積算獲得ポイント」欄は、団体への分配費用の支払いが未処理となっている、団体獲得ポイントの積算値（以下、未処理分の積算団体獲得ポイントと称する）を登録する欄である。
【０１７０】
「ポイント換算額」欄は、ユーザ情報登録部１３０に登録された「ポイント換算額」欄（図５と図２３参照）と同様に、ポイント換算額を登録する欄である。
【０１７１】
「未処理積算分配費用」欄は、ユーザ情報登録部１３０に登録された「未処理積算分配費用」欄（図５と図２３参照）と同様に、未処理積算分配費用を登録する欄である。なお、未処理積算分配費用とは、ここでは、団体が獲得し、かつ、団体への支払いが未処理となっている分配費用の積算金額を意味している。未処理積算分配費用は、情報管理部１６０ａが未処理分の積算団体獲得ポイント（すなわち、「未処理積算獲得ポイント」欄に登録されているポイント）とポイント換算額とを掛け合わせることによって算出される。
【０１７２】
「寄付者履歴（未処理分）」欄は、未処理積算分配費用を寄付したユーザの履歴を登録する欄である。
【０１７３】
「処理済分配費用」欄は、団体への支払いがなされた分配費用の合計を登録する欄である。
【０１７４】
「支払い処理履歴」欄は、団体への分配費用の支払いを処理した履歴を登録する欄である。
【０１７５】
「寄付者履歴（処理済分）」欄は、処理済分配費用を寄付したユーザの履歴を登録する欄である。なお、処理済分配費用とは、ここでは、団体への支払いがなされた分配費用を意味している。
【０１７６】
「取扱い停止」欄は、寄付の取り扱いの停止を意味するフラグ（以下、取り扱い停止フラグと称する）を登録する欄である。情報管理部１６０ａは、例えば、団体の口座が閉鎖されていたり、団体が解散するなどにより、団体への寄付ができなくなった場合に、取り扱い停止フラグを「取り扱い停止」欄に登録する。
【０１７７】
図４は、登録Ｎｏが「１２０７」の団体情報として、団体Ｎｏが「４９６３０５」、名称が「財団法人○○△△」、代表者が「××△△」、担当者が「××△△」、電話番号が「０３−××××−××××」、ＦＡＸ番号が「０３−××××−××××」、ＵＲＬが「http://www.b02.co.jp」、メールアドレスが「ddeeff@xxyy.ne.jp」、口座が「○△銀行○△×支店普通口座○○××」、未処理分の積算団体獲得ポイントが「１８，０６０ポイント」、ポイント換算額が「１ポイント＝１円」、未処理積算分配費用が「１８，０６０円」、寄付者履歴（未処理分）が「20040801:15681a:90p；…」、処理済分配費用が「１０８，７６０円」、支払い処理履歴が「20040201:\16750；…」、寄付者履歴（処理済分）が「20040106:15733b:30p；…」、取り扱い停止が空白（すなわち、存在せず）となっていることを示している。なお、図４に示す例では、寄付者履歴（未処理分）と寄付者履歴（処理済分）は、寄付された日付と寄付者のユーザＮｏと寄付ポイントとの組み合わせからなる情報を一履歴の情報とし、ポイントがユーザから寄付される都度、その履歴の情報が付加される構成となっている。また、支払い処理履歴は、「日付」と「支払い処理金額」との組み合わせからなる情報を一履歴の情報とし、支払い処理が行われる都度、その履歴の情報が付加される構成となっている。
【０１７８】
また、図４は、登録Ｎｏが「１２０８」の団体情報として、団体Ｎｏが「４７３３０８」、名称が「財団法人○○××」、代表者が「○△××」、担当者が「○△△×」、取り扱い停止が取り扱い停止フラグである「××××」となっていることを示している。
【０１７９】
図５は、ユーザ情報登録部１２０に登録されるユーザ情報の一例を示す図である。なお、ユーザ情報登録部１２０’に登録されるユーザ情報も、図５と同様の構成になっている。
【０１８０】
図５に示すユーザ情報は、図２３に示す従来例のユーザ情報に、「獲得ポイント」欄と「寄付先１」〜「寄付先４」欄（以下、寄付先欄と称する）と「寄付の割合１」〜「寄付の割合４」欄（以下、寄付割合欄と称する）とを付加した構成となっている。獲得ポイント欄は、ユーザが獲得したポイント（以下、ユーザ獲得ポイントと称する）で、かつ、寄付処理が未処理のポイントを登録するためのものである。寄付先欄は、ユーザが任意の団体を寄付先として登録するためのものである。以下、この寄付先欄に登録された団体を、寄付先団体と称する。寄付割合欄は、寄付先に応じて寄付の割合を登録するためのものである。寄付割合欄は、各寄付先欄に対して、一つずつ設けられている。なお、図５に示す例では、４組の寄付先欄と寄付割合欄が設けられているが、サーバの管理者は組み合わせ数を適宜増減することができる。
【０１８１】
寄付先欄に登録される情報（以下、寄付先団体情報と称する）と寄付割合欄に登録される情報（以下、寄付割合情報と称する）は、寄付先情報管理手段１６６によって、寄付先情報としてユーザ情報登録部１３０に登録される。なお、寄付先情報管理手段１６６は、ユーザがポイントを獲得した場合でかつユーザが寄付先情報をユーザ情報登録部１３０に登録している場合に、ユーザ情報登録部１３０に登録された当該ユーザの寄付先情報を読み出して、当該ユーザが獲得したポイントと寄付先情報に含まれる寄付割合情報に基づいて寄付ポイントを算出し、算出した寄付ポイントを団体情報管理手段１６４に送信する。これに応じて、団体情報管理手段１６４は、寄付先情報管理手段１６６によって算出された寄付ポイントを、寄付先である団体が獲得した団体獲得ポイントとして団体情報登録部１２５に登録する。
【０１８２】
図５は、登録Ｎｏが「２５７８９６」のユーザ情報として、寄付先１が「○○○（０１０３３４）」、寄付の割合１が「４０％」、寄付先２が「△△△（００５４６２）」、寄付の割合２が「４０％」、寄付先３が「×××（０２０３６０）」、寄付の割合３が「２０％」、となっていることを示している。なお、図５に示す例では、寄付先団体情報は、「寄付先となる団体の名称」と「団体Ｎｏ」とを組み合わせた情報によって構成されている。
【０１８３】
＜情報管理装置の動作について＞
図６〜図８は、それぞれ、情報管理装置の動作例を示すフローチャートであり、情報管理装置の主な動作を示している。
【０１８４】
図６に示すように、情報管理装置１００ａの情報管理部１６０ａ（具体的には、団体情報管理手段１６４）は、Ｓ１１０において、サーバの管理者が情報管理装置１００ａの入力部１８０を操作して団体情報を入力すると、団体情報を団体情報登録部１２５に登録する。これにより、情報管理部１６０ａは、団体情報登録を行う。
【０１８５】
次に、情報管理部１６０ａは、Ｓ１２０において、新規ユーザがユーザ装置３００の入力部３８０を操作して情報管理装置１００ａにアクセスし、新規ユーザのユーザ情報を送信すると、通信部１１０を介してそのユーザ情報を受信し、受信したユーザ情報をユーザ情報登録部１３０に登録する。なお、「新規ユーザ」とは、新規にユーザ登録するユーザを意味する。
【０１８６】
このＳ１２０における情報管理部１６０ａの新規ユーザのユーザ登録の具体的な動作は、以下の通りである。
【０１８７】
すなわち、情報管理装置１００ａの情報管理部１６０ａは、運用を開始すると、スポンサー装置２００からのアクセスおよびユーザ装置３００からのアクセスを、常時、監視する。そして、情報管理部１６０ａは、ユーザ装置３００からのアクセスを検出すると、通信部１１０を介して、そのユーザ装置３００からのアクセスに対する応答として、様々な情報（例えば、新規ユーザ登録用情報や、寄付先登録用情報、スポンサー提供情報、その他）をユーザ装置３００に送信する。なお、「新規ユーザ登録用情報」とは、ユーザ装置３００の出力部３９０のディスプレイにユーザ登録用画面を表示させるための情報を意味する。また、「寄付先登録用情報」とは、ユーザ装置３００の出力部３９０のディスプレイに寄付先情報登録用画面（図９参照）を表示させるための情報を意味する。ここでは、ユーザは、新規にユーザ登録を行うために、情報管理装置１００ａにアクセスしているものとする。
【０１８８】
この登録動作を行うため、情報管理装置１００ａの情報管理部１６０ａは、ユーザ装置３００からのアクセスを検出し、さらに、そのユーザ装置３００からユーザ登録を実行させるための指令を受信する。これに応答して、情報管理部１６０ａは、ユーザ情報登録部１３０から新規ユーザ登録用情報を読み出し、通信部１１０を介して、その新規ユーザ登録用情報を、ユーザ装置３００に送信する。
【０１８９】
ユーザ装置３００の情報処理部３６０は、通信部３１０を介して、情報管理装置１００ａから新規ユーザ登録用情報を受信すると、新規ユーザ登録用情報に基づいてユーザ登録用画面を作成し、そのユーザ登録用画面を出力部３９０のディスプレイに表示する。新規ユーザとなるユーザは、ディスプレイに表示されたユーザ登録用画面を見ながら、画面の中の任意の項目に自身のユーザ情報を入力し、その入力されたユーザ情報を情報管理装置１００ａに送信するための操作を入力部３８０を用いて行う。
【０１９０】
これに応答して、ユーザ装置３００の情報処理部３６０は、新規ユーザのユーザ情報を情報管理装置１００ａに送信する。
【０１９１】
情報管理装置１００ａの情報管理部１６０ａは、通信部１１０を介して、ユーザ装置３００から新規ユーザのユーザ情報を受信すると、新規ユーザ用のユーザＮｏを生成する。そして、情報管理部１６０ａは、生成した新規ユーザ用のユーザＮｏと受信した新規ユーザのユーザ情報とを対応付けて、これらをユーザ情報登録部１３０に登録する。
【０１９２】
このようにして、情報管理部１６０ａは、Ｓ１２０において、新規ユーザのユーザ情報をユーザ情報登録部１３０に登録する。
【０１９３】
なお、このＳ１２０の工程（すなわち、「ユーザ情報登録」工程）では、ユーザは、寄付先情報の登録を行う場合がある。この場合、ユーザは、寄付先情報の登録を行うために、情報管理装置１００ａにアクセスする。
【０１９４】
このとき、情報管理装置１００ａの情報管理部１６０ａは、ユーザ装置３００からのアクセスを検出し、さらに、そのユーザ装置３００から寄付先情報登録を実行させるための指令を受信する。これに応答して、情報管理部１６０ａ（具体的には、団体情報管理手段１６４または寄付先情報管理手段１６６）は、Ｓ１２１において、ユーザ情報登録部１３０から寄付先登録用情報を読み出すとともに、団体情報登録部１２５から団体情報を読み出し、Ｓ１２２において、通信部１１０を介して、その寄付先登録用情報と団体情報とを、ユーザ装置３００に送信する。なお、「寄付先登録用情報」とは、上述の通り、ユーザ装置３００の出力部３９０のディスプレイに寄付先登録用画面を表示させるための情報を意味する。
【０１９５】
ユーザ装置３００の情報処理部３６０は、Ｓ１２３において、通信部３１０を介して、情報管理装置１００ａから寄付先登録用情報と団体情報を受信すると、寄付先登録用情報と団体情報に基づいて寄付先情報登録用画面を作成し、その寄付先情報登録用画面を出力部３９０のディスプレイに表示する。
【０１９６】
図９は、寄付先情報登録用画面の一例を示す図である。図９（Ａ）は、初期状態の画面を示しており、図９（Ｂ）は、後述の「寄付先」欄のウィンドウが開かれた状態の画面を示している。
【０１９７】
図９に示す例では、寄付先情報登録用画面は、寄付先毎に、「寄付先」欄と「寄付の割合」欄とを有し、さらに、入力した情報を送信する「送信」キーと入力した情報を取り消す「入力取消」キーとを有する構成となっている。
【０１９８】
「寄付先」欄は、情報管理装置１００ａから受信した団体情報に含まれている寄付受付団体の名称を一覧表示し、その中から寄付先となる団体をユーザに選択させるための欄である。ユーザ装置３００は、寄付先情報の登録時において、まず、図９（Ａ）に示す画面を表示する。これを見たユーザは、入力部３８０を操作して「寄付先」欄の右隅に表示された三角形の矢印を押下する。これに応答して、ユーザ装置３００は、団体の名称を一覧表示するウィンドウを開く。これにより、ユーザ装置３００は、図９（Ｂ）に示す画面を表示する。これを見たユーザは、ウィンドウに一覧表示された団体の名称の中から、寄付先となる団体を選択する。これに応じて、ユーザ装置３００は、選択された団体を「寄付先」欄に表示し、寄付先となる団体を確定する。
【０１９９】
「寄付の割合」欄は、寄付の割合をユーザに入力させるための欄である。ユーザは、入力部３８０を操作して「寄付の割合」欄に、０〜１００％の範囲内で、寄付の割合となる数値を入力する。これに応じて、ユーザ装置３００は、入力された数値を「寄付の割合」欄に表示する。なお、寄付の割合となる数値は、０％となってもよい。この場合、０％として登録された寄付先は、単に、仮登録されただけの状態となる。ユーザは、場面に応じて、その寄付先への寄付の割合を適宜増加することになる。また、寄付の割合となる数値は、各寄付先に対する合計が０〜１００％の範囲内に規定されている。仮に、ユーザが各寄付先に対する合計が１００％を超える数値を入力した場合は、ユーザ装置３００が、１００％を超えた時点で、ディスプレイにエラーを表示して、入力を拒否する。また、ユーザが各寄付先に対する合計が１００％未満の数値を入力した場合は、残り分がユーザの獲得ポイントとしてユーザに還元される。
【０２００】
なお、寄付先情報登録用画面は、画面の右隅に表示された三角形の矢印を押下することによって、表示がスクロールする。
【０２０１】
ユーザは、ユーザ装置３００の入力部３８０を操作して、「寄付先」欄に表示される団体情報の中から任意の団体を選択する。これにより、ユーザ装置３００は、Ｓ１２４において、選択された団体を寄付先として入力処理する。また、ユーザは、ユーザ装置３００の入力部３８０を操作して、「寄付の割合」欄に寄付の割合となる数値を入力する。これにより、ユーザ装置３００は、Ｓ１２５において、入力された数値を寄付の割合として入力処理する。この後、ユーザ装置３００は、Ｓ１２６において、通信部３１０を介して、寄付先と寄付の割合とを寄付先情報として情報管理装置１００ａに送信する。
【０２０２】
情報管理装置１００ａの情報管理部１６０ａ（具体的には、寄付先情報管理手段１６６）は、Ｓ１２７において、通信部１１０を介して、ユーザ装置３００から寄付先情報を受信する。そして、情報管理部１６０ａは、Ｓ１２８において、受信した寄付先情報をユーザ情報登録部１３０に登録する。
【０２０３】
このようにして、情報管理部１６０ａは、Ｓ１２１〜Ｓ１２８において、寄付先情報の登録処理を行う。
【０２０４】
次に、情報管理部１６０ａは、Ｓ１３０において、新規スポンサーのスポンサー情報をスポンサー情報登録部１２０に登録する。これにより、情報管理部１６０ａは、新規スポンサーのスポンサー登録を行う。なお、「新規スポンサー」とは、新規にスポンサー登録するスポンサーを意味している。このスポンサーの中には、初めてスポンサー登録するスポンサーに加え、既に代行業者と契約しているスポンサーであって、かつ、新たな案件の代行業務を委託するスポンサーが含まれる。
【０２０５】
このＳ１３０における情報管理部１６０ａの具体的な動作は、以下の通りである。
【０２０６】
すなわち、情報管理装置１００ａの情報管理部１６０ａは、上述の通り、スポンサー装置２００からのアクセスおよびユーザ装置３００からのアクセスを、常時、監視している。情報管理部１６０ａは、スポンサー装置２００からのアクセスを検出すると、通信部１１０を介して、そのスポンサー装置２００からのアクセスに対する応答として、様々な情報（例えば、ユーザへのスポンサー提供情報の送信の代行業務に関する情報、その他）を、スポンサー装置２００に送信する。情報管理部１６０ａは、スポンサーが新規のスポンサー登録を行う場合に、スポンサー装置２００からのアクセスを検出し、さらに、そのスポンサー装置２００からスポンサー登録を実行させるための指令を受信する。これに応答して、情報管理部１６０ａは、スポンサー情報登録部１２０から新規スポンサー登録用情報を読み出し、通信部１１０を介して、その新規スポンサー登録用情報を、スポンサー装置２００に送信する。なお、「新規スポンサー登録用情報」とは、スポンサー装置２００の出力部２９０のディスプレイにスポンサー登録用画面を表示させるための情報を意味する。
【０２０７】
スポンサー装置２００の情報処理部２６０は、通信部２１０を介して、情報管理装置１００ａから新規スポンサー登録用情報を受信すると、新規スポンサー登録用情報に基づいてスポンサー登録用画面を作成し、そのスポンサー登録用画面を出力部２９０のディスプレイに表示する。新規スポンサーとなるスポンサーは、ディスプレイに表示されたスポンサー登録用画面を見て、画面の中の任意の項目に自身のスポンサー情報を入力して、そのスポンサー情報を情報管理装置１００ａに送信するための操作を行う。これに応答して、情報処理部２６０は、新規スポンサーのスポンサー情報を情報管理装置１００ａに送信する。なお、この新規スポンサーのスポンサー情報の中には、スポンサーから代行業者に支払われる費用に関する金額情報（すなわち、スポンサー費用）が含まれている。
【０２０８】
情報管理装置１００ａの情報管理部１６０ａは、通信部１１０を介して、スポンサー装置２００から新規スポンサーのスポンサー情報を受信すると、新規スポンサー用のスポンサーＮｏを生成する。そして、情報管理部１６０ａは、生成した新規スポンサー用のスポンサーＮｏと受信した新規スポンサーのスポンサー情報とを対応付けて、これらをスポンサー情報登録部１２０に登録する。
【０２０９】
このようにして、情報管理部１６０ａは、Ｓ１３０において、新規スポンサーのスポンサー情報をスポンサー情報登録部１２０に登録する。
【０２１０】
なお、このＳ１３０の工程と次のＳ１４０の工程は、Ｓ１１０の工程（「団体情報登録」工程）の前、または、Ｓ１２０の工程（「ユーザ情報登録」工程）の前に行われる場合もある。
【０２１１】
また、Ｓ１２０の工程（「ユーザ情報登録」工程）は、Ｓ１１０の工程（「団体情報登録」工程）の前に行われる場合もある。
【０２１２】
また、既に登録された団体情報を変更する場合は、Ｓ１１０の工程（「団体情報登録」工程）と同様の処理となる。また、既に登録されたユーザ情報を変更する場合は、Ｓ１２０の工程（「ユーザ情報登録」工程）と同様の処理となる。また、既に登録されたスポンサー情報を変更する場合は、Ｓ１３０の工程（「スポンサー情報登録」工程）と同様の処理となる。
【０２１３】
また、ユーザが寄付先情報を変更する操作を行う場合は、Ｓ１２１〜Ｓ１２８の工程と同様の処理となる。
【０２１４】
次に、情報管理部１６０ａは、新規スポンサーのスポンサー情報をスポンサー情報登録部１２０に登録すると、Ｓ１４０において、新規スポンサーのスポンサー提供情報の提供回数（または提供量）の上限値を設定する。なお、「スポンサー提供情報の提供回数」とは、ユーザへのスポンサー提供情報の送信が可能な回数を意味する。また、「スポンサー提供情報の提供量」とは、ユーザへのスポンサー提供情報の送信が可能な情報量を意味する。
【０２１５】
このＳ１４０における情報管理部１６０ａの具体的な動作は、以下の通りである。
【０２１６】
すなわち、情報管理部１６０ａは、スポンサー情報登録部１２０から新規スポンサーのスポンサー情報を読み出し、新規スポンサーのスポンサー情報の中に含まれているスポンサー費用に基づいて、スポンサー提供情報の提供回数（または提供量）の上限値を算出する。情報管理部１６０ａは、スポンサー提供情報の提供回数（または提供量）の上限値を算出すると、新規スポンサーのスポンサーＮｏとスポンサー提供情報の提供回数（または提供量）の上限値に関する情報とを対応付けて、これらをスポンサー情報登録部１２０に登録する。これにより、情報管理部１６０ａは、個々の契約案件のスポンサーＮｏに基づいて、スポンサー情報登録部１２０から個々の契約案件のスポンサー提供情報の提供回数（または提供量）の上限値を、常時、読み出すことができるようになる。
【０２１７】
このようにして、情報管理部１６０ａは、Ｓ１４０において、新規スポンサーのスポンサー提供情報の提供回数（または提供量）の上限値を設定する。
【０２１８】
次に、情報管理部１６０ａは、新規スポンサーのスポンサー提供情報の提供回数（または提供量）の上限値を設定すると、Ｓ１５０において、各契約案件の条件適合者を抽出する。なお、「条件適合者」とは、スポンサーによって指定された条件（例えば、図３に示す「設定条件１」〜「設定条件１０」）に一致するユーザを意味する。
【０２１９】
このＳ１５０における情報管理部１６０ａの具体的な動作は、以下の通りである。
【０２２０】
すなわち、情報管理部１６０ａ（具体的には、条件適合者抽出手段１６２）は、契約案件毎に、予め定められたタイミングで、スポンサー情報登録部１２０からスポンサー情報を読み出すとともに、ユーザ情報登録部１３０から各ユーザＮｏのユーザ情報を読み出す。そして、情報管理部１６０ａは、読み出した各ユーザＮｏのユーザ情報の中から、読み出した契約案件のスポンサー情報の中に含まれている「設定条件」（図３に示す例では、「設定条件１」〜「設定条件１０」）に一致する条件適合者を抽出する。情報管理部１６０ａは、各ユーザＮｏのユーザ情報の中から、読み出した契約案件の条件適合者を抽出すると、契約案件のスポンサー情報と抽出した条件適合者のユーザＮｏとを対応付けて、これらをスポンサー情報登録部１２０に登録する（図３参照）。
【０２２１】
このようにして、情報管理部１６０ａは、Ｓ１５０において、各契約案件の条件適合者を抽出する。
【０２２２】
次に、情報管理部１６０ａは、各契約案件の条件適合者を抽出すると、Ｓ１６０において、条件適合者から、除外団体を寄付先に登録しているユーザ（以下、除外団体登録ユーザと称する）を除外する。これにより、情報管理部１６０ａは、スポンサー提供情報を送信する予定のユーザ（以下、送信予定者と称する）を抽出する。
【０２２３】
このＳ１６０における情報管理部１６０ａの具体的な動作は、以下の通りである。
【０２２４】
すなわち、情報管理部１６０ａ（具体的には、条件適合者抽出手段１６２または団体情報管理手段１６４または寄付先情報管理手段１６６）は、各契約案件の条件適合者を抽出すると、スポンサー情報登録部１２０からスポンサー情報を読み出し、読み出したスポンサー情報の中に含まれている「除外団体」（図３に示す例では、「除外団体１」〜「除外団体５」）を抽出するとともに、ユーザ情報登録部１３０から条件適合者のユーザ情報を読み出し、読み出した条件適合者のユーザ情報の中に含まれている「寄付先」（図５に示す例では、「寄付先１」〜「寄付先４」）を抽出する。情報管理部１６０ａは、スポンサー情報から抽出した「除外団体」と条件適合者のユーザ情報から抽出した「寄付先」とを比較する。このとき、情報管理部１６０ａは、除外団体と寄付先とが一致するユーザ（すなわち、「除外団体１」〜「除外団体５」のいずれかと「寄付先１」〜「寄付先４」のいずれかとが一致するユーザ）がいれば、このユーザを除外団体登録ユーザとして条件適合者の中から除外する。すなわち、情報管理部１６０ａは、契約案件のスポンサー情報に対応付けられてスポンサー情報登録部１２０に登録された条件適合者のユーザＮｏの中から除外団体登録ユーザのユーザＮｏを削除し、除外団体登録ユーザのユーザＮｏを削除した条件適合者のユーザＮｏをスポンサー情報登録部１２０に登録する。これにより、情報管理部１６０ａは、除外団体登録ユーザのユーザＮｏを削除したユーザＮｏの条件適合者にスポンサー提供情報を送信することになる。
【０２２５】
このようにして、情報管理部１６０ａは、Ｓ１６０において、除外団体登録ユーザを条件適合者から除外する。
【０２２６】
この後、工程は、図７に示すＳ２１０に進む。
【０２２７】
図７に示すように、情報管理部１６０ａは、Ｓ２１０において、予め定められたタイミングで、送信タイミングに合致する案件（以下、送信案件と称する）のスポンサー提供情報を送信予定者のユーザ装置３００に送信する。なお、上述のＳ１６０の工程は、削除することも可能である。仮に、Ｓ１６０の工程を削除した場合は、情報管理部１６０ａは、送信予定者の代わりに、Ｓ１５０の工程で抽出された条件適合者にスポンサー提供情報を送信することになる。
【０２２８】
このＳ２１０における情報管理部１６０ａの具体的な動作は、以下の通りである。
【０２２９】
情報管理部１６０ａは、以下の第１の方法または第２の方法によって、送信案件のスポンサー提供情報を送信予定者のユーザ装置３００に送信する。
【０２３０】
第１の方法は、スポンサー提供情報が情報管理装置１００ａのスポンサー情報登録部１２０に登録されていない場合の方法である。
【０２３１】
第１の方法では、情報管理装置１００ａの情報管理部１６０ａは、まず、予め定められたタイミングで、スポンサー情報登録部１２０に登録されたスポンサー情報を読み出し、送信案件のスポンサー情報を特定する。次に、情報管理部１６０ａは、特定した送信案件のスポンサー情報を記憶部１１５に一時記憶する。次に、情報管理部１６０ａは、スポンサー提供情報の送信を要請する指令を、送信案件のスポンサー情報に登録されているスポンサーのスポンサー装置２００（以下、送信案件のスポンサー装置２００と称する）に送信する。
【０２３２】
送信案件のスポンサー装置２００の情報処理部２６０は、情報管理装置１００ａからスポンサー提供情報の送信を要請する指令を受信すると、まず、受信したスポンサー提供情報の送信を要請する指令を記憶部２１５に一時記憶する。次に、情報処理部２６０は、記憶部２１５から、スポンサー提供情報の送信を要請する指令に対応するスポンサー提供情報（図１９（Ａ）および（Ｂ）参照）を読み出し、これを、送信案件のスポンサー提供情報として、情報管理装置１００ａに送信する。これに応答して、情報管理装置１００ａは、送信案件のスポンサー装置２００から送信案件のスポンサー提供情報を受信する。
【０２３３】
情報管理装置１００ａの情報管理部１６０ａは、送信案件のスポンサー装置２００から送信案件のスポンサー提供情報を受信すると、まず、受信した送信案件のスポンサー提供情報を記憶部１１５に一時記憶する。次に、情報管理部１６０ａは、記憶部１１５から、受信した送信案件のスポンサー提供情報に対応する送信案件のスポンサー情報を読み出し、読み出した送信案件のスポンサー情報の中に含まれている送信予定者のユーザＮｏを特定する。次に、情報管理部１６０ａは、ユーザ情報登録部１３０から、特定した送信予定者のユーザＮｏに対応するユーザ情報を読み出し、このユーザ情報の中に含まれている送信予定者のメールアドレスを特定する（図５参照）。次に、情報管理部１６０ａは、記憶部１１５から送信案件のスポンサー提供情報を読み出し、読み出した送信案件のスポンサー提供情報を、特定した送信予定者のメールアドレスに送信する。これにより、情報管理部１６０ａは、送信案件のスポンサー提供情報を送信予定者のユーザ装置３００に送信する。
【０２３４】
第２の方法は、スポンサー提供情報が情報管理装置１００ａのスポンサー情報登録部１２０に登録されている場合の方法である。
【０２３５】
第２の方法では、情報管理装置１００ａの情報管理部１６０ａは、まず、予め定められたタイミングで、スポンサー情報登録部１２０に登録されたスポンサー情報を読み出し、送信案件のスポンサー情報を特定する。次に、情報管理部１６０ａは、特定した送信案件のスポンサー情報を記憶部１１５に一時記憶する。次に、情報管理部１６０ａは、記憶部１１５から、送信案件のスポンサー提供情報に対応する送信案件のスポンサー情報を読み出し、読み出した送信案件のスポンサー情報の中に含まれている送信予定者のユーザＮｏを特定する。次に、情報管理部１６０ａは、ユーザ情報登録部１３０から、特定した送信予定者のユーザＮｏに対応するユーザ情報を読み出し、このユーザ情報の中に含まれている送信予定者のメールアドレスを特定する（図５参照）。次に、情報管理部１６０ａは、記憶部１１５から送信案件のスポンサー提供を読み出し、読み出した送信案件のスポンサー情報の中からスポンサー提供情報を抽出し、抽出したスポンサー提供情報を送信予定者のメールアドレスに送信する。これにより、情報管理部１６０ａは、送信案件のスポンサー提供情報を送信予定者のユーザ装置３００に送信する。
【０２３６】
このようにして、情報管理部１６０ａは、予め定められたタイミングで、送信案件のスポンサー提供情報を送信予定者のユーザ装置３００に送信する。
【０２３７】
これに応答して、送信予定者のユーザ装置３００の情報処理部３６０は、情報管理装置１００ａから送信案件のスポンサー提供情報を受信する。そして、情報処理部３６０は、受信した送信案件のスポンサー提供情報を出力部３９０のディスプレイに表示する。送信予定者は、ディスプレイに表示された送信案件のスポンサー提供情報を見て、閲覧確認情報（すなわち、広告形式のスポンサー提供情報に含まれている返信用のキーワードや、アンケート形式のスポンサー提供情報に含まれているアンケートの回答など）を、情報管理装置１００ａに送信する。以下、この送信予定者を閲覧ユーザと称する。
【０２３８】
これに応答して、情報管理装置１００ａの情報管理部１６０ａは、Ｓ２２０において、閲覧ユーザのユーザ装置３００から閲覧確認情報を受信する。
【０２３９】
次に、情報管理部１６０ａは、閲覧ユーザのユーザ装置３００から閲覧確認情報を受信すると、Ｓ２３０において、受信した閲覧確認情報に含まれている閲覧ユーザのユーザＮｏに基づいて、ユーザ情報登録部１３０から閲覧ユーザのユーザ情報を読み出す。これにより、情報管理部１６０ａは、閲覧ユーザを識別する。
【０２４０】
次に、情報管理部１６０ａは、閲覧ユーザを識別すると、Ｓ２４０において、当該閲覧ユーザのユーザ情報に予め登録されているポイント（図５に示す例では、「一提供毎の付与ポイント」欄に登録されている「１５０ポイント」）を、ユーザ獲得ポイントとしてユーザに付与する。このユーザ獲得ポイントは、図５に示すユーザ情報の「獲得ポイント」欄に登録される。
【０２４１】
この後、情報管理部１６０ａは、予め定められたタイミングで、各ユーザに対し、寄付処理を行う。
【０２４２】
この寄付処理における情報管理部１６０ａの具体的な動作は、以下の通りである。
【０２４３】
図７に示すように、情報管理部１６０ａ（具体的には、寄付先情報管理手段１６６）は、各団体への寄付処理を行うために、Ｓ２５０において、予め定められたタイミングで、ユーザ情報登録部１３０から各ユーザのユーザ情報を読み出し、ユーザ毎に、ユーザ情報に寄付先情報が登録されているか否かを識別する。
【０２４４】
Ｓ２５０においてユーザ情報に寄付先情報が登録されている場合に、情報管理部１６０ａ（具体的には、団体情報管理手段１６４と寄付先情報管理手段１６６）は、以下のようにして寄付処理を行う。
【０２４５】
すなわち、まず、情報管理部１６０ａ（具体的には、寄付先情報管理手段１６６）は、ユーザ情報に寄付先情報が登録されている場合に、Ｓ２６０において、寄付先毎に、ユーザ獲得ポイントと寄付の割合とを掛け合わせることによって、各寄付先に寄付するポイント（以下、寄付ポイントと称する）を算出する。
【０２４６】
次に、情報管理部１６０ａ（具体的には、団体情報管理手段１６４）は、Ｓ２７０において、寄付ポイントを、団体が獲得したポイント（以下、団体獲得ポイントと称する）として、団体情報登録部１２５に登録する。このとき、情報管理部１６０ａは、まず、団体情報登録部１２５から各団体の団体情報を読み出す。次に、情報管理部１６０ａは、寄付ポイントを団体獲得ポイントと見なし、団体毎に、団体獲得ポイントと、団体情報に含まれている未処理分の積算団体獲得ポイント（すなわち、「未処理積算獲得ポイント」欄に登録されているポイント）とを加算する。次に、情報管理部１６０ａは、これにより得られた値を新たな未処理分の積算団体獲得ポイントとして団体情報の「未処理積算獲得ポイント」欄に登録する。また、同時に、情報管理部１６０ａは、寄付者履歴を団体情報の「寄付者履歴（未処理分）」欄に登録する。なお、図４に示す例では、寄付者履歴は、寄付された日付と寄付者のユーザＮｏと寄付ポイントとの組み合わせからなる情報を一履歴の情報としている。このようにして、情報管理部１６０ａは、団体情報を更新する。
【０２４７】
次に、情報管理部１６０ａ（具体的には、寄付先情報管理手段１６６）は、団体獲得ポイントを団体情報登録部１２５に登録すると、Ｓ２８０において、ユーザ情報登録部１３０から各ユーザのユーザ情報を読み出し、ユーザ毎に、以下のようにして未処理積算ポイント（すなわち、「未処理積算ポイント」欄に登録されているポイント）の更新を行う。すなわち、情報管理部１６０ａは、ユーザ毎に、ユーザ獲得ポイントから寄付ポイントの合計を差し引いて、残り分を算出し、その残り分と未処理積算ポイントとを加算し、これによって得られる値を新たな未処理積算ポイントとしてユーザ情報の「未処理積算ポイント」欄に登録する。なお、このとき、情報管理部１６０ａは、ユーザ情報の「獲得ポイント」欄に登録されていたユーザ獲得ポイントを０ポイントに更新する。このようにして、情報管理部１６０ａは、ユーザ情報を更新する。
【０２４８】
他方、Ｓ２５０においてユーザ情報に寄付先情報が登録されていない場合に、情報管理部１６０ａ（具体的には、団体情報管理手段１６４と寄付先情報管理手段１６６）は、以下のようにして未処理積算ポイントの更新を行う。すなわち、情報管理部１６０ａは、ユーザ毎に、ユーザ獲得ポイントと未処理積算ポイントとを加算し、これによって得られる値を新たな未処理積算ポイントとしてユーザ情報の「未処理積算ポイント」欄に登録する。なお、このとき、情報管理部１６０ａは、ユーザ情報の「獲得ポイント」欄に登録されていたユーザ獲得ポイントを０ポイントに更新する。このようにして、情報管理部１６０ａは、ユーザ情報を更新する。
【０２４９】
この後、工程は、図８に示すＳ３１０に進む。
【０２５０】
図８に示すように、情報管理装置１００ａの分配費用算出部１４０は、Ｓ３１０において、以下のようにして各団体分の分配費用を算出する。すなわち、分配費用算出部１４０は、定期的に、予め定められたタイミングで、団体情報登録部１２５から各寄付受付団体の団体情報を読み出す。そして、分配費用算出部１４０は、読み出した団体情報に含まれている「未処理積算獲得ポイント」欄（図４参照）に登録されている情報に基づいて、各団体の未処理積算分配費用を算出し（図４参照）、算出した各団体の未処理積算分配費用を、団体情報の一情報として、団体情報登録部１２５に登録する。
【０２５１】
次に、情報管理装置１００ａの支払い処理部１５０は、Ｓ３２０において、以下のようにして各団体分の支払い処理を行う。すなわち、支払い処理部１５０は、定期的に、予め定められたタイミングで、団体情報登録部１２５から各寄付受付団体の団体情報を読み出す。そして、支払い処理部１５０は、読み出した各寄付受付団体の団体情報に含まれている、「口座」欄や「未処理積算分配費用」欄などに登録されている情報に基づいて、各団体への分配費用の支払い処理を行う。具体的には、支払い処理部１５０は、団体情報の「未処理積算分配費用」欄に登録されている金額の分配費用を、団体情報の「口座」欄に登録されている口座に振り込む指令を、通信部１１０を介して、図示しない金融機関のホストコンピュータに送信する。これに応答して、金融機関のホストコンピュータは、団体毎に、各団体の未処理積算分配費用を当該団体の口座に振り込む。
【０２５２】
なお、金融機関のホストコンピュータは、何らかの理由（例えば、団体の口座が閉鎖されているなどの理由）により、ある団体（以下、振込不可団体と称する）の口座に振込処理できない場合に、振込処理できない旨の情報を情報管理装置１００ａに送信する。これに応答して、情報管理装置１００ａの支払い処理部１５０は、通信部１１０を介して、振込処理できない旨の情報を、振込不可団体にポイントを寄付したユーザ（すなわち、寄付者）のユーザ装置３００に送信する。これに応答して、寄付者のユーザ装置３００は、振込不可団体に振込処理できない旨の情報を出力部３９０のディスプレイに表示する。これにより、寄付者は、振込不可団体に振込処理できないことを知ることができる。
【０２５３】
なお、この場合、情報管理装置１００ａの団体情報管理手段１６４は、団体情報登録部１２５に登録されている振込不可団体の団体情報の「取扱い停止」欄に、取扱い停止フラグを登録する。
【０２５４】
また、情報管理装置１００ａの団体情報管理手段１６４は、団体情報登録部１２５に登録されている振込不可団体の団体情報の「未処理積算獲得ポイント」欄に、０ポイントを登録し、その履歴を団体情報の「支払い処理履歴」欄に登録する。
【０２５５】
また、情報管理装置１００ａの団体情報管理手段１６４または寄付先情報管理手段１６６は、団体情報登録部１２５に登録されている振込不可団体の団体情報の「寄付者履歴（未処理分）」欄に登録されている情報を読み出し、読み出した情報に基づいて、各寄付者のユーザＮｏと、各寄付者が寄付した寄付ポイントとを特定する。次に、団体情報管理手段１６４または寄付先情報管理手段１６６は、寄付者毎に、各寄付者のユーザＮｏに基づいて、ユーザ情報登録部１３０に登録されている寄付者のユーザ情報を読み出し、寄付者の寄付ポイントと、ユーザ情報の「未処理積算ポイント」欄に登録されているポイントとを加算して、これによって得られる値を新たな未処理積算ポイントとしてユーザ情報の「未処理積算ポイント」欄に登録する。
【０２５６】
次に、情報管理装置１００ａの分配費用算出部１４０は、Ｓ３３０において、以下のようにして各ユーザ分の分配費用を算出する。すなわち、分配費用算出部１４０は、定期的に、予め定められたタイミングで、ユーザ情報登録部１３０から各登録ユーザのユーザ情報を読み出す。そして、分配費用算出部１４０は、読み出したユーザ情報に含まれている「未処理積算ポイント」欄（図５参照）に登録されている情報に基づいて、各登録ユーザの未処理積算分配費用を算出し（図５参照）、算出した各登録ユーザの未処理積算分配費用を、ユーザ情報の一情報として、ユーザ情報登録部１３０に登録する。
【０２５７】
次に、情報管理装置１００ａの支払い処理部１５０は、Ｓ３４０において、以下のようにして各ユーザ分の支払い処理を行う。すなわち、支払い処理部１５０は、定期的に、予め定められたタイミングで、ユーザ情報登録部１３０から各登録ユーザのユーザ情報を読み出す。そして、支払い処理部１５０は、読み出した各登録ユーザのユーザ情報に含まれている、「未処理積算分配費用」欄や「支払い方法」欄、「振込先」欄などに登録されている情報に基づいて、各登録ユーザへの分配費用の支払い処理を行う。具体的には、支払い処理部１５０は、ある登録ユーザのユーザ情報の「支払い方法」欄に「ダイレクト」と登録されている場合に、ユーザ情報の「未処理積算分配費用」欄に登録されている金額の分配費用を、電子マネーとして、通信部１１０を介して、当該登録ユーザのユーザ装置３００に送信する。または、支払い処理部１５０は、ある登録ユーザのユーザ情報の「支払い方法」欄に「口座振込」と登録されている場合に、ユーザ情報の「未処理積算分配費用」欄に登録されている金額の分配費用を、ユーザ情報の「振込先」欄に登録されている口座に振り込む指令を、通信部１１０を介して、図示しない金融機関のホストコンピュータに送信する。これに応答して、金融機関のホストコンピュータは、登録ユーザ毎に、各登録ユーザの未処理積算分配費用を、ユーザによって指定された振込先の口座に振り込む。
【０２５８】
次に、情報管理部１６０ａは、契約案件毎に、Ｓ３５０において、スポンサー提供情報の提供回数が上限値を超過するか否かを判定する。この判定は、情報管理部１６０ａが、スポンサー情報登録部１２０から、各契約案件のスポンサー情報を読み出して、読み出したスポンサー情報の「提供回数（予測値）」欄に登録された回数の情報と「通信履歴」欄に登録された通信履歴の回数の情報とを比較することによって行われる。
【０２５９】
なお、この判定は、「分配費用の上限値（総額）」欄に登録された金額の情報と「分配費用の合計」欄に登録された金額の情報との比較によって行うことも可能である。
【０２６０】
Ｓ３５０で、スポンサー提供情報の提供回数が上限値を超過すると判定された場合に、工程は、Ｓ３６０に進む。他方、スポンサー提供情報の提供回数が上限値を超過しないと判定された場合に、工程は、Ｓ２１０に戻る。
【０２６１】
Ｓ３５０で、スポンサー提供情報の提供回数が上限値を超過すると判定された場合に、情報管理部１６０ａは、Ｓ３６０において、当該契約案件に関するレポート（図２０参照）を作成し、作成したレポートを当該契約案件のスポンサー装置２００に送信する。
【０２６２】
スポンサーは、情報管理装置１００ａからレポートを受信すると、スポンサー提供情報の送信を中止するか否かを判断する。
【０２６３】
スポンサー提供情報の送信を中止する場合に、スポンサーは、スポンサー装置２００を操作して、スポンサー提供情報の送信を中止する指令を情報管理装置１００ａに送信する。スポンサー提供情報の送信を中止しない場合に、スポンサーは、スポンサー装置２００を操作して、スポンサー提供情報の送信を継続する指令を情報管理装置１００ａに送信する。
【０２６４】
情報管理部１６０ａは、スポンサー装置２００からスポンサー提供情報の送信を中止する指令を受信した場合に、Ｓ３７０において、当該契約案件のスポンサー提供情報の送信を中止する。
【０２６５】
なお、送信の中止は、情報管理部１６０ａが、送信停止フラグを、スポンサー情報登録部１２０に登録された当該契約案件のスポンサー情報の「送信停止」欄に登録することによって行われる。
【０２６６】
情報管理装置１００ａの主な動作は、以上の通りである。
【０２６７】
以上の通り、情報管理装置１００ａは、団体情報登録部１２５に予め登録された団体情報をユーザに提示することができる。これにより、ユーザは、提示された団体情報の中から１乃至複数の寄付先を選択するだけで、寄付先を容易に登録することができる。
【０２６８】
また、この情報管理装置１００ａは、１乃至複数の寄付先と寄付の割合をユーザの寄付先情報としてユーザ情報登録手段に登録することができる。これにより、ユーザは、１乃至複数の寄付先に寄付することができるとともに、寄付先に応じて、寄付の割合を変えて寄付することができる。
【０２６９】
また、この情報管理装置１００ａは、団体情報登録部１２５に登録されている団体情報の各種の履歴（すなわち、図４に示す「寄付者履歴（未処理分）」欄や「支払い処理履歴」欄、「寄付者履歴（処理済分）」欄などに登録されている情報）に基づいて、各団体が獲得した団体獲得ポイントの積算値を認識したり、団体獲得ポイントの清算の有無、すなわち、団体獲得ポイントに対する分配費用の支払い処理の有無などを認識することができる。
【０２７０】
［実施例２］
実施例２の情報管理装置１００ａは、スポンサー提供情報をユーザ装置に送信する場合に、スポンサー提供情報とともに、スポンサーによって好ましい寄付先として推奨された推奨団体とその推奨理由とをユーザ装置３００に送信する。これに応じて、ユーザ装置３００は、スポンサー提供情報とともに、推奨団体とその推奨理由とを出力部３９０のディスプレイに表示する。
【０２７１】
以下、図１０〜図１２を参照して、この実施例につき説明する。
【０２７２】
この実施例の情報管理装置１００ａは、構成自体は、実施例１と同じである。ただし、この実施例の情報管理装置１００ａは、図１０に示すように、契約案件毎に、スポンサー情報の中に、推奨団体と推奨理由とを登録している点、および、図１１に示す動作を実行する点で、実施例１と相違する。
【０２７３】
図１０は、スポンサー情報の一例を示す図である。図１０に示すスポンサー情報は、図３に示す実施例１のスポンサー情報に、「推奨団体１」〜「推奨団体５」欄（以下、単に推奨団体欄と称する）と「推奨理由１」〜「推奨理由５」欄（以下、単に推奨理由欄と称する）とを付加した構成となっている。
【０２７４】
推奨団体と推奨理由は、スポンサーによって好ましい寄付先として推奨された団体の名称とその団体を推奨する理由である。推奨団体と推奨理由は、スポンサーがスポンサー装置２００の入力部２８０を操作することにより、または、サーバの管理者がスポンサーの指示に基づいて情報管理装置１００ａの入力部１８０を操作することにより、推奨団体欄と推奨理由欄に登録される。なお、図１０に示す例では、５組の推奨団体欄と推奨理由欄が設けられているが、サーバの管理者はこれらの数を適宜増減することができる。
【０２７５】
情報管理装置１００ａは、スポンサー提供情報をユーザ装置３００に送信する際に、すなわち、図７に示すＳ２１０の工程を実行する際に、図１１に示す動作を実行する。なお、図１１は、情報管理装置の動作例を示すフローチャートである。
【０２７６】
図１１に示すように、まず、情報管理装置１００ａの情報管理部１６０ａは、Ｓ２１２において、スポンサー情報登録部１２０から送信案件のスポンサー提供情報を読み出す。
【０２７７】
次に、情報管理部１６０ａは、Ｓ２１４において、スポンサー情報登録部１２０から、送信案件のスポンサー提供情報に対応するスポンサー情報の中に登録されている推奨団体と推奨理由とを読み出す。
【０２７８】
次に、情報管理部１６０ａは、Ｓ２１６において、推奨団体表示用情報を生成する。この推奨団体表示用情報は、スポンサー提供情報を表示するためのスポンサー提供情報表示欄と、推奨団体を寄付先として選択入力するための推奨団体表示欄と、推奨理由を表示するための推奨理由表示欄とを有するスポンサー提供情報表示画面（図１２参照）を、ユーザ装置３００に表示させるための情報である。なお、図１２は、推奨団体表示用情報に基づくスポンサー提供情報表示画面の表示の一例を示す図である。
【０２７９】
図１２に示すスポンサー提供情報表示画面は、図１９に示すスポンサー提供情報に、ユーザに推奨団体への寄付を要請する文章と、推奨団体表示欄と、推奨理由表示欄と、寄付先登録欄とを付加した構成となっている。なお、ユーザ装置３００は、図１２に示すスポンサー提供情報表示画面を一画面で表示しきれないので、部分的にスクロール表示することになる。
【０２８０】
ユーザに推奨団体への寄付を要請する文章は、図１０に示すスポンサー情報の推奨団体欄と推奨理由欄に、推奨団体と推奨理由が登録されている場合に、表示される。なお、この文章は、サーバの管理者によって、適宜作成される。
【０２８１】
推奨団体表示欄と推奨理由表示欄は、図１０に示すスポンサー情報の推奨団体欄と推奨理由欄に、推奨団体と推奨理由が登録されている場合に、推奨団体欄と推奨理由欄に登録された推奨団体と推奨理由とを表示する。なお、図１２に示す例では、２組の推奨団体表示欄と推奨理由表示欄が設けられているが、この数はスポンサー情報の推奨団体欄と推奨理由欄に登録された推奨団体と推奨理由の数に応じて増減する。例えば、図１０に示すスポンサー情報の推奨団体欄と推奨理由欄に登録された推奨団体と推奨理由の数が１組だけの場合は、推奨団体表示欄と推奨理由表示欄の数は１組だけとなる。
【０２８２】
寄付先登録欄は、「寄付の割合」を入力するボックス欄と「仮登録」キーまたは「本登録」キーとを備えている。
【０２８３】
「寄付の割合」欄は、寄付の割合をユーザに入力させるための欄である。ユーザは、入力部３８０を操作して「寄付の割合」欄に、０〜１００％の範囲内で、寄付の割合となる数値を入力する。これに応じて、ユーザ装置３００は、入力された数値を「寄付の割合」欄に表示する。
【０２８４】
「仮登録」キーは、寄付先を今回に限って登録するためのキーである。この「仮登録」キーが押下されると、情報管理装置１００ａの情報管理部１６０ａは、寄付先をユーザ情報登録部１３０のユーザ情報の中には登録しない。その代わりに、情報管理部１６０ａは、予め定められたタイミングで、送受信記録格納部１０７から送信案件のスポンサー情報の通信履歴を読み出して、この通信履歴に基づいて、図７に示すＳ２６０とＳ２７０の工程（すなわち、「寄付ポイント算出」と「団体獲得ポイント登録」の工程）を実行する。なお、通信履歴は、常に、送受信記録格納部１０７に格納されている情報である。
【０２８５】
「本登録」キーは、寄付先を恒久的に登録するためのキーである。このキーが押下されると、情報管理装置１００ａの情報管理部１６０ａは、寄付先をユーザ情報登録部１３０のユーザ情報の中に登録する。そして、情報管理部１６０ａは、予め定められたタイミングで、ユーザ情報登録部１３０からユーザ情報の中の寄付先情報を読み出して、この寄付先情報に基づいて、図７に示すＳ２６０とＳ２７０の工程（すなわち、「寄付ポイント算出」と「団体獲得ポイント登録」の工程）を実行する。
【０２８６】
Ｓ２１６で推奨団体表示用情報を生成すると、情報管理部１６０ａは、Ｓ２１８において、通信部１１０を介して、推奨団体表示用情報と、スポンサー提供情報と、推奨団体と、推奨理由とを、ユーザ装置３００に送信する。
【０２８７】
これに応答して、ユーザ装置３００の情報処理部３６０は、通信部３１０を介して、情報管理装置１００ａからこれらの情報を受信する。そして、情報処理部３６０は、これらの情報を合成して図１２に示すスポンサー提供情報を作成し、そのスポンサー提供情報を出力部３９０のディスプレイに表示する。ユーザは、ディスプレイに表示されたスポンサー提供情報を見ながら、画面の中の、返信用のキーワードを入力するボックス欄や「寄付の割合」欄に情報を適宜入力し、さらに、「仮登録」欄または「本登録」欄を選択した後、「閲覧確認送信」キーを押下する。すると、ユーザ装置３００は、通信部３１０を介して、返信用のキーワードとともに、寄付先や寄付の割合、仮登録または本登録などの情報を、情報管理装置１００ａに送信する。なお、ユーザ装置３００は、ユーザが「仮登録」欄または「本登録」欄を選択していない場合に、「仮登録」欄が選択されたものとして仮登録の情報を、情報管理装置１００ａに送信する。
【０２８８】
情報管理装置１００ａの情報管理部１６０ａは、通信部１１０を介して、ユーザ装置３００から、返信用のキーワードとともに、寄付先や寄付の割合、仮登録または本登録などの情報を受信すると、返信用のキーワードとスポンサー情報に登録された複数のキーワードとを比較する。そして、情報管理部１６０ａは、返信用のキーワードがスポンサー情報に登録された複数のキーワードのいずれかに一致する場合に、ユーザがスポンサー提供情報を閲覧したと判定して、返信用のキーワードを閲覧確認情報としてスポンサー情報登録部１２０またはユーザ情報登録部１３０に格納する。
【０２８９】
また、このとき、情報管理部１６０ａは、ユーザ装置３００から、仮登録の情報を受信していれば、寄付先をユーザ情報登録部１３０のユーザ情報の中に登録しない。その代わりに、情報管理部１６０ａは、上述の通り、予め定められたタイミングで、送受信記録格納部１０７から送信案件のスポンサー情報の通信履歴を読み出して、この通信履歴に基づいて、Ｓ２６０とＳ２７０の工程を実行する。他方、このとき、情報管理部１６０ａは、ユーザ装置３００から、本登録の情報を受信していれば、寄付先をユーザ情報登録部１３０のユーザ情報の中に登録する。そして、情報管理部１６０ａは、上述の通り、予め定められたタイミングで、ユーザ情報登録部１３０からユーザ情報の中の寄付先情報を読み出して、この寄付先情報に基づいて、Ｓ２６０とＳ２７０の工程を実行する。
【０２９０】
以上の通り、この実施例の情報管理装置１００ａによれば、スポンサー提供情報をユーザ装置３００に送信する場合に、スポンサーによって好ましい寄付先として推奨された推奨団体とその推奨理由とをユーザ装置３００に表示させることができる。ユーザは、ユーザ装置３００に表示された推奨団体とその推奨理由を見ることにより、推奨理由に賛同する場合に、ユーザ装置３００に表示された推奨団体を寄付先に選択入力し、さらに、寄付の割合を入力する。このようにして、ユーザは、送信されたスポンサー提供情報を閲覧することにより獲得するポイントの一部または全てを選択入力した推奨団体に容易に寄付することができる。したがって、この実施例の情報管理装置１００ａは、ユーザの寄付行為を促進させることができる。
【０２９１】
［実施例３］
実施例３の情報管理装置１００ａは、例えばスポンサー提供情報などの任意の情報をユーザ装置３００に送信する際に、その任意の情報とともに、ユーザの寄付ランキングをユーザ装置３００に送信する。これに応じて、ユーザ装置３００は、その任意の情報とともに、ユーザの寄付ランキングを出力部３９０のディスプレイに表示する。
【０２９２】
以下、図１３〜図１５を参照して、この実施例につき説明する。
【０２９３】
この実施例の情報管理装置１００ａは、構成自体は、実施例１と同じである。ただし、この実施例の情報管理装置１００ａは、図１３に示すように、団体毎に、団体情報の中に、寄付累計ポイントを登録している点、および、図１４に示す動作を実行する点で、実施例１と相違する。
【０２９４】
図１３は、団体情報の一例を示す図である。図１３に示す団体情報は、図４に示す実施例１の団体情報に、「寄付累計ポイント」欄を付加した構成となっている。
【０２９５】
寄付累計ポイントは、寄付を行った寄付ユーザと対応付けて登録されている。図１３に示す例では、例えば「４９６３０５」という団体Ｎｏの団体に対する寄付累計ポイントは、「０５６７３ａ」というユーザＮｏのユーザからの「７０Ｐ（ポイント）」や「０５７７２ｄ」というユーザＮｏのユーザからの「２９０Ｐ（ポイント）」などが存在することを示している。
【０２９６】
情報管理装置１００ａは、任意の情報をユーザ装置３００に送信する際に、図１４に示す動作を実行する。なお、図１４は、情報管理装置の動作例を示すフローチャートである。ここでは、任意の情報がスポンサー提供情報であるものとして説明する。
【０２９７】
図１４に示すように、まず、情報管理装置１００ａの情報管理部１６０ａは、Ｓ４１２において、スポンサー情報登録部１２０から送信案件のスポンサー提供情報を読み出す。
【０２９８】
次に、情報管理部１６０ａは、Ｓ４１４において、ユーザ情報登録部１３０からユーザの寄付先を読み出す。
【０２９９】
次に、情報管理部１６０ａは、Ｓ４１６において、読み出したユーザの寄付先に基づいて、団体情報登録部１２５から、ユーザが寄付先に登録している団体の団体情報の「寄付累計ポイント」欄の中に登録されている寄付ユーザと寄付累計ポイントとを読み出す。
【０３００】
次に、情報管理部１６０ａは、Ｓ４１８において、読み出した寄付ユーザと寄付累計ポイントの組み合わせを、寄付累計ポイントの多い順に並び替え、さらに、寄付累計ポイントの多い順に番号を付し、ユーザの寄付ランキングを特定する。
【０３０１】
次に、情報管理部１６０ａは、Ｓ４２０において、寄付ランキング表示用情報を生成する。この寄付ランキング表示用情報は、スポンサー提供情報を表示するためのスポンサー提供情報表示欄と、ユーザの寄付先毎のランキングを表示するためのランキング表示欄とを有するスポンサー提供情報表示画面（図１５参照）を、ユーザ装置３００に表示させるための情報である。なお、図１５は、寄付ランキング表示用情報に基づくスポンサー提供情報表示画面の表示の一例を示す図である。
【０３０２】
図１５に示すスポンサー提供情報表示画面は、図１９（Ａ）に示すスポンサー提供情報に、ランキング表示欄を付加した構成となっている。なお、ユーザ装置３００は、図１５に示すスポンサー提供情報表示画面を一画面で表示しきれないので、部分的にスクロール表示することになる。
【０３０３】
なお、この実施例では、ランキング表示欄は、ユーザ情報登録部１３０にユーザの寄付先が登録されている場合に表示され、ユーザ情報登録部１３０にユーザの寄付先が登録されていない場合に表示しない構成となっている。
【０３０４】
Ｓ４２０で寄付ランキング表示用情報を生成すると、情報管理部１６０ａは、Ｓ４２２において、通信部１１０を介して、寄付ランキング表示用情報と、スポンサー提供情報と、ユーザの寄付累計ポイントとをユーザ装置３００に送信する。
【０３０５】
これに応答して、ユーザ装置３００の情報処理部３６０は、通信部３１０を介して、情報管理装置１００ａからこれらの情報を受信する。そして、情報処理部３６０は、これらの情報を合成して図１５に示すスポンサー提供情報を作成し、そのスポンサー提供情報を出力部３９０のディスプレイに表示する。これにより、ユーザは、ディスプレイに表示されたスポンサー提供情報を見ながら、自身の寄付先における寄付ランキングを確認することができる。
【０３０６】
以上の通り、この実施例の情報管理装置１００ａによれば、ユーザが寄付した団体におけるユーザの寄付ランキングをユーザ装置３００に表示させることができる。これにより、この実施例の情報管理装置１００ａは、ユーザの競争心を喚起して、ユーザの寄付行為を促進させることができる。
【０３０７】
＜プログラムについて＞
この発明に係るプログラムは、コンピュータにより、上述の情報管理装置１００ａを実現するためのものである。
【０３０８】
すなわち、この発明に係るプログラムは、コンピュータにより、スポンサー情報登録部１２０と、団体情報登録部１２５と、ユーザ情報登録部１３０と、通信部１１０と、情報管理部１６０ａとを有する構成を実現させるためのものである。
【０３０９】
この構成において、上述の情報管理部１６０ａは、ユーザが任意の団体を寄付先としてユーザ情報登録部１３０に登録する場合に、団体情報登録部１２５から団体情報を読み出して当該ユーザのユーザ装置３００に送信することにより、ユーザ装置３００を介して当該ユーザに団体情報の中から１乃至複数の寄付先を選択させるとともに、選択された寄付先に応じて寄付の割合を入力させる。
【０３１０】
また、上述の情報管理部１６０ａは、当該ユーザがユーザ装置３００を介して１乃至複数の寄付先を選択するとともに、選択された寄付先に応じて寄付の割合を入力したときに、１乃至複数の寄付先と寄付の割合を当該ユーザの寄付先情報としてユーザ情報登録部１３０に登録する。
【０３１１】
なお、このプログラム発明を実施するに当たり、好ましくは、上述の情報管理部１６０ａにより、スポンサー提供情報をユーザに送信する場合に、スポンサー情報登録部１２０に登録されているスポンサー情報を読み出して、当該スポンサー情報に基づいてスポンサー提供情報を送信するための条件に適合しているユーザを条件適合者として抽出し、当該条件適合者にスポンサー提供情報を送信する機能とを実現させるためのものであってもよい。
【０３１２】
また、このプログラム発明を実施するに当たり、好ましくは、上述のスポンサー情報登録部１２０により、スポンサー情報として、条件適合者の中から、スポンサーにとって寄付先として好ましくない団体を寄付先に登録しているユーザを除外するための除外団体を登録する機能と、上述の情報管理部１６０ａにより、スポンサー提供情報をユーザに送信する場合に、スポンサー情報登録部１２０に登録されているスポンサー情報を読み出して、当該スポンサー情報に含まれている除外団体に基づいて、条件適合者の中から、除外団体を寄付先に登録しているユーザを除外することにより送信予定者を抽出し、当該送信予定者にスポンサー提供情報を送信する機能を実現させるためのものであってもよい。
【０３１３】
また、このプログラム発明を実施するに当たり、好ましくは、情報管理部１６０ａに、ユーザがポイントを獲得した場合でかつ当該ユーザが寄付先と寄付の割合を寄付先情報としてユーザ情報登録部１３０に登録している場合に、ユーザ情報登録部１３０に登録された当該ユーザの寄付先情報を読み出して、寄付先毎に、当該ユーザが獲得したポイントと寄付先情報に含まれる寄付の割合に基づいて寄付ポイントを算出し、算出した寄付ポイントを、寄付先である団体が獲得した団体獲得ポイントとして団体情報登録部１２５に登録する機能を実現させるためのものであってもよい。
【０３１４】
また、このプログラム発明を実施するに当たり、好ましくは、コンピュータにより、さらに、団体情報登録部１２５に登録された各団体の団体獲得ポイントを読み出して、団体毎に、団体獲得ポイントの積算値に基づいて、各団体に分配すべき分配費用を算出する分配費用算出部１４０と、団体毎に、分配費用算出部１４０によって算出されて分配費用の支払い処理を行う支払い処理部１５０とを有する構成を実現させるためのものであってもよい。
【０３１５】
この構成において、上述のスポンサー情報登録部１２０は、スポンサー情報の一種として、スポンサーがスポンサー提供情報をユーザに送信してもらう代価として代行業者に支払うスポンサー費用を登録している。
【０３１６】
また、上述の支払い処理部１５０は、団体毎に、スポンサー情報登録部１２０に登録されたスポンサー費用の一部を原資として、分配費用算出部１４０によって算出された分配費用の支払い処理を行う。
【０３１７】
また、このプログラム発明を実施するに当たり、好ましくは、上述の団体情報登録部１２５に、団体情報として、各団体の名称と、各団体が金融機関に開設した口座とを関連付けて登録する機能と、上述の支払い処理部１５０に、団体毎に、分配費用を、団体情報登録部１２５に登録された口座に振り込むことにより、分配費用の支払い処理を行う機能とを実現させるためのものであってもよい。
【０３１８】
また、このプログラム発明を実施するに当たり、好ましくは、上述のスポンサー情報登録部１２０により、スポンサー情報として、スポンサーによって好ましい寄付先として推奨された推奨団体と、推奨団体を推奨する推奨理由とを登録し、さらに、上述の情報管理部１６０ａにより、スポンサー提供情報をユーザに送信する場合に、スポンサー情報登録部１２０から推奨団体と推奨理由とを読み出し、スポンサー提供情報を表示するためのスポンサー提供情報表示欄と推奨団体を寄付先として選択入力するための推奨団体表示欄と推奨理由を表示するための推奨理由表示欄とを有するスポンサー提供情報表示画面をユーザ装置３００に表示させるための推奨団体表示用情報と、推奨団体と、推奨理由と、スポンサー提供情報とを、ユーザのユーザ装置３００に送信することを実現させるためのものであってもよい。
【０３１９】
また、このプログラム発明を実施するに当たり、好ましくは、団体情報登録部１２５により、団体毎に、寄付を行った寄付ユーザと寄付ユーザの寄付累計ポイントとを対応付けて登録し、さらに、情報管理部１６０ａにより、任意の情報をユーザに送信する場合に、団体情報登録部１２５からユーザが寄付を行った団体における各寄付ユーザと各寄付ユーザの寄付累計ポイントとを読み出し、読み出した各寄付ユーザと各寄付ユーザの寄付累計ポイントとに基づいて、ユーザが寄付した団体におけるユーザの寄付ランキングを特定し、特定した寄付ランキングをユーザ装置３００に表示させるための寄付ランキング表示用情報を、ユーザのユーザ装置３００に送信することを実現させるためのものであってもよい。
【０３２０】
＜変更・変形について＞
この発明は、上述の実施例１〜３に限定されることなく、この発明の要旨を逸脱しない範囲で種々の変更や変形を行うことができる。
【０３２１】
例えば、上述の実施例１〜３では、情報管理装置１００ａは、サーバやＰＣとしたが、専用に作り込まれた装置とすることもできる。
【０３２２】
また、例えば、上述の実施例１では、情報管理装置１００ａは、ユーザが寄付ポイントを団体に寄付する都度、図４に示す「未処理積算獲得ポイント」欄に登録されている団体獲得ポイントを更新し、その更新された団体獲得ポイントに基づいて、各団体に分配すべき分配費用を算出している。これに対して、情報管理装置１００ａは、図４に示す「寄付者履歴（未処理分）」欄に登録されている各履歴を読み出して、各履歴に含まれている寄付ポイントを加算することにより団体獲得ポイントを算出し、この算出した団体獲得ポイントに基づいて、各団体に分配すべき分配費用を算出することもできる。なお、この構成によれば、図４に示す「未処理積算獲得ポイント」欄を削除することもできる。
【０３２３】
また、例えば、図９に示す寄付先情報登録用画面を、図１６に示す寄付先情報登録用画面に変更してもよい。なお、図１６は、寄付先情報登録用画面の他の例を示す図である。図１６に示す寄付先情報登録用画面は、図９に示す寄付先情報登録用画面と同様の、寄付先を選択入力する欄に加え、寄付先の口座を直接入力する欄を有する構成となっている。すなわち、図１６に示す寄付先情報登録用画面は、寄付先毎に、「寄付先」欄と「寄付の割合」欄とからなる寄付先を選択入力する欄と、「寄付先の口座」欄と「寄付の割合」欄とからなる寄付先の口座を直接入力する欄とを有し、さらに、寄付先を選択入力する欄と寄付先の口座を直接入力する欄とのそれぞれに対応して「送信」キーと「入力取消」キーとを有する構成となっている。なお、「寄付先の口座」欄は、寄付受付団体の口座を、ユーザに直接入力させるための欄である。ユーザは、図１６に示す寄付先情報登録用画面から寄付先情報を登録する場合に、ユーザ装置３００の入力部３８０を操作して、「寄付先の口座」欄に寄付先となる団体の口座を入力するとともに、「寄付の割合」欄に寄付の割合となる数値を入力する。これにより、ユーザ装置３００は、通信部３１０を介して、寄付先の口座と寄付の割合とを寄付先情報として情報管理装置１００ａに送信する。
【図面の簡単な説明】
【０３２４】
【図１】この発明の情報管理装置の構成を示す図である。
【図２】この発明の情報管理装置の機能ブロックを示す図である。
【図３】スポンサー情報の一例を示す図である。
【図４】団体情報の一例を示す図である。
【図５】ユーザ情報の一例を示す図である。
【図６】情報管理装置の動作例を示すフローチャート（１）である。
【図７】情報管理装置の動作例を示すフローチャート（２）である。
【図８】情報管理装置の動作例を示すフローチャート（３）である。
【図９】（Ａ）および（Ｂ）は、寄付先情報登録用画面の一例を示す図である。
【図１０】スポンサー情報の一例を示す図である。
【図１１】情報管理装置の動作例を示すフローチャートである。
【図１２】推奨団体表示用情報に基づく表示の一例を示す図である。
【図１３】団体情報の一例を示す図である。
【図１４】情報管理装置の動作例を示すフローチャートである。
【図１５】寄付ランキング表示用情報に基づく表示の一例を示す図である。
【図１６】寄付先情報登録用画面の他の例を示す図である。
【図１７】情報管理装置の接続形態を示す図である。
【図１８】本出願人の先願発明の情報管理装置の構成を示す図である。
【図１９】スポンサー提供情報の一例を示す図である。
【図２０】レポートの一例を示す図である。
【図２１】本出願人の先願発明の情報管理装置の機能ブロックを示す図である。
【図２２】スポンサー情報の一例を示す図である。
【図２３】ユーザ情報の一例を示す図である。
【符号の説明】
【０３２５】
１００ａ    …情報管理装置（サーバ）
１１０    …通信部
１２０    …スポンサー情報登録部
１３０    …ユーザ情報登録部
１４０    …分配費用算出部
１５０    …支払い処理部
１６０ａ    …情報管理部
１６２    …条件適合者抽出手段
１６４    …団体情報管理手段
１６６    …寄付先情報管理手段
２００    …スポンサー装置（ＰＣ、双方向ＴＶ放送装置、ｅｔｃ．）
３００    …ユーザ装置（携帯電話、ＰＣ、双方向ＴＶ、ｅｔｃ．）
【図１】
2007102726.tif 000003
【図２】
2007102726.tif 000004
【図３】
2007102726.tif 000005
【図４】
2007102726.tif 000006
【図５】
2007102726.tif 000007
【図６】
2007102726.tif 000008
【図７】
2007102726.tif 000009
【図８】
2007102726.tif 000010
【図９】
2007102726.tif 000011
【図１０】
2007102726.tif 000012
【図１１】
2007102726.tif 000013
【図１２】
2007102726.tif 000014
【図１３】
2007102726.tif 000015
【図１４】
2007102726.tif 000016
【図１５】
2007102726.tif 000017
【図１６】
2007102726.tif 000018
【図１７】
2007102726.tif 000019
【図１８】
2007102726.tif 000020
【図１９】
2007102726.tif 000021
【図２０】
2007102726.tif 000022
【図２１】
2007102726.tif 000023
【図２２】
2007102726.tif 000024
【図２３】
2007102726.tif 000025
【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
情報の送り手となるスポンサーによって使用されるスポンサー装置と情報の受け手となるユーザによって使用されるユーザ装置との間に介在する情報管理装置において、
（Ａ）通信網を介して前記スポンサー装置および前記ユーザ装置と通信する通信手段と、
（Ｂ）スポンサーに関するスポンサー情報を登録するスポンサー情報登録手段であって、当該スポンサー情報の一種として、スポンサーからユーザに提供されるスポンサー提供情報を前記スポンサー装置に送信させるための情報または当該スポンサー提供情報と、代行業者がスポンサーに代わって当該スポンサー提供情報をユーザに送信する代価としてスポンサーから代行業者に支払われるスポンサー費用に関するスポンサー費用情報とを、スポンサー毎に登録する当該スポンサー情報登録手段と、
（Ｃ）ユーザに関するユーザ情報を登録するユーザ情報登録手段であって、当該ユーザ情報の一種として、前記スポンサー提供情報を閲覧したユーザである閲覧ユーザに付与される一提供毎のポイントと、当該一提供毎のポイントの積算値である未処理積算ユーザポイントとを、ユーザ毎に登録し、さらに、ユーザからの寄付を受け付けている団体に関する団体情報の中から１乃至複数の寄付先をユーザに選択入力させるための寄付先選択欄と寄付先に応じて寄付の割合をユーザに指定入力させるための寄付の割合入力欄とを有する寄付先登録用画面を、前記ユーザ装置に表示させるための寄付先登録用情報を登録する当該ユーザ情報登録手段と、
（Ｄ）前記団体情報を登録する団体情報登録手段であって、前記団体情報の一種として、ユーザから寄付された寄付ポイントの積算値である未処理積算団体獲得ポイントを登録する当該団体情報登録手段と、
（Ｅ）前記スポンサー提供情報の送信量を管理する情報管理手段であって、
（ａ）前記ユーザ装置から任意の団体を寄付先として登録するための指令を受信した場合に、前記ユーザ情報登録手段から前記寄付先登録用情報を読み出すとともに、前記団体情報登録手段から前記団体情報を読み出し、読み出した前記寄付先登録用情報と前記団体情報とを、前記指令を送信したユーザの前記ユーザ装置に送信し、さらに、その後に、前記ユーザ装置から当該ユーザによって選択された寄付先と寄付の割合とを受信することにより、受信した寄付先と寄付の割合とを当該ユーザの寄付先情報として前記ユーザ情報登録手段に登録し、
（ｂ）予め定められたタイミングで前記スポンサー情報登録手段に登録された前記スポンサー費用情報に基づいて定まる提供量の上限値内で前記スポンサー提供情報を前記ユーザ装置に送信し、さらに、その後に、前記ユーザ装置からユーザが前記スポンサー提供情報を閲覧したことを示す閲覧確認情報を受信した場合に、当該閲覧確認情報を送信した前記ユーザ装置のユーザを閲覧ユーザとみなし、前記ユーザ情報登録手段から当該閲覧ユーザの前記一提供毎の付与ポイントと前記寄付先情報と前記未処理積算ユーザポイントとを読み出し、読み出した前記寄付先情報から当該閲覧ユーザの寄付先である団体を特定し、前記団体情報登録手段から特定した団体の前記未処理積算団体獲得ポイントを読み出し、当該閲覧ユーザの前記一提供毎の付与ポイントと前記寄付先情報に含まれている寄付の割合に基づいて、寄付先毎に寄付ポイントを算出し、寄付先毎に前記寄付ポイントを前記未処理積算団体獲得ポイントに加算して、加算した値を各団体の新たな前記未処理積算団体獲得ポイントとして前記団体情報登録手段に登録するとともに、ユーザの獲得ポイントを算出し、当該ユーザの獲得ポイントを前記未処理積算ユーザポイントに加算して、加算した値を当該閲覧ユーザの新たな前記未処理積算ユーザポイントとして前記ユーザ情報登録手段に登録する当該情報管理手段と、
（Ｆ）前記スポンサー提供情報を閲覧したユーザである閲覧ユーザに対する分配費用およびユーザから寄付を受けた各団体に対する分配費用を算出する分配費用算出手段であって、予め定められたタイミングで前記団体情報登録手段から前記未処理積算団体獲得ポイントを読み出し、読み出した前記未処理積算団体獲得ポイントに基づいて、ユーザから寄付を受けた各団体に対する分配費用を算出するとともに、前記ユーザ情報登録手段から前記未処理積算ユーザポイントを読み出し、読み出した前記未処理積算ユーザポイントに基づいて、閲覧ユーザに対する分配費用を算出する当該分配費用算出手段と、
（Ｇ）閲覧ユーザに対する分配費用の支払い処理およびユーザから寄付を受けた各団体に対する分配費用の支払い処理を実行する支払い処理手段であって、予め定められたタイミングで前記スポンサー情報登録手段から前記スポンサー費用情報を読み出し、読み出した前記スポンサー費用情報に登録されている前記スポンサー費用を原資として、閲覧ユーザに対する支払い処理と各団体に対する支払い処理とを実行する当該支払い処理手段と、
を有することを特徴とする情報管理装置。
【請求項２】
請求項１に記載の情報管理装置において、
前記情報管理手段は、前記スポンサー提供情報を前記ユーザの前記ユーザ装置に送信する場合に、前記スポンサー情報登録手段に登録されている前記スポンサー情報を読み出して、当該スポンサー情報に基づいて前記スポンサー提供情報を送信するための条件に適合している前記ユーザを条件適合者として抽出し、当該条件適合者の前記ユーザ装置に前記スポンサー提供情報を送信する
ことを特徴とする情報管理装置。
【請求項３】
請求項２に記載の情報管理装置において、
前記スポンサー情報登録手段は、前記スポンサー情報として、前記条件適合者の中から、前記スポンサーにとって寄付先として好ましくない団体を寄付先に登録している前記ユーザを除外するための除外団体が登録されており、
前記情報管理手段は、前記スポンサー提供情報をユーザの前記ユーザ装置に送信する場合に、前記スポンサー情報登録手段に登録されている前記スポンサー情報を読み出して、当該スポンサー情報に含まれている前記除外団体に基づいて、前記条件適合者の中から、前記除外団体を寄付先に登録している前記ユーザを除外することにより送信予定者を抽出し、当該送信予定者の前記ユーザ装置に前記スポンサー提供情報を送信する
ことを特徴とする情報管理装置。
【請求項４】
請求項１に記載の情報管理装置において、
前記スポンサー情報登録手段は、前記スポンサー情報として、前記スポンサーによって好ましい寄付先として推奨された推奨団体と、当該推奨団体を推奨する推奨理由とが登録されており、
前記情報管理手段は、前記スポンサー提供情報をユーザの前記ユーザ装置に送信する場合に、前記スポンサー情報登録手段から前記推奨団体と前記推奨理由とを読み出し、前記スポンサー提供情報を表示するためのスポンサー提供情報表示欄と当該推奨団体を寄付先として選択入力するための推奨団体表示欄と当該推奨理由を表示するための推奨理由表示欄とを有するスポンサー提供情報表示画面を前記ユーザ装置に表示させるための推奨団体表示用情報と、当該推奨団体と、当該推奨理由と、前記スポンサー提供情報とを、当該ユーザの前記ユーザ装置に送信する
ことを特徴とする情報管理装置。
【請求項５】
請求項１に記載の情報管理装置において、
前記団体情報登録手段は、前記団体毎に、寄付を行った寄付ユーザと当該寄付ユーザの寄付累計ポイントとが対応付けて登録されており、
前記情報管理手段は、任意の情報を前記ユーザの前記ユーザ装置に送信する場合に、前記団体情報登録手段から当該ユーザが寄付を行った団体における各寄付ユーザと各寄付ユーザの前記寄付累計ポイントとを読み出し、読み出した各寄付ユーザと各寄付ユーザの前記寄付累計ポイントとに基づいて、当該ユーザが寄付した前記団体における当該ユーザの寄付ランキングを特定し、特定した寄付ランキングを前記ユーザ装置に表示させるための寄付ランキング表示用情報を、当該ユーザの前記ユーザ装置に送信する
ことを特徴とする情報管理装置。
【請求項６】
請求項１に記載の情報管理装置において、
前記支払い処理手段は、前記ユーザから寄付を受けた各団体に対する分配費用の支払い処理を実行する場合に、前記分配費用を前記団体情報登録手段に登録された各団体の口座に振り込む
ことを特徴とする情報管理装置。
【請求項７】
請求項１に記載の情報管理装置において、
前記支払い処理手段は、前記閲覧ユーザに対する分配費用の支払い処理を実行する場合に、前記分配費用を前記ユーザ情報登録手段に登録された閲覧ユーザの口座に振り込む
ことを特徴とする情報管理装置。
【請求項８】
請求項１に記載の情報管理装置において、
前記支払い処理手段は、前記閲覧ユーザに対する分配費用の支払い処理を実行する場合に、前記分配費用を前記ユーザ情報登録手段に登録された閲覧ユーザの前記ユーザ装置に電子マネーとして送信する
ことを特徴とする情報管理装置。
【請求項９】
情報の送り手となるスポンサーによって使用されるスポンサー装置と情報の受け手となるユーザによって使用されるユーザ装置との間に介在するコンピュータを、
（Ａ）通信網を介して前記スポンサー装置および前記ユーザ装置と通信する通信手段と、
（Ｂ）スポンサーに関するスポンサー情報を登録するスポンサー情報登録手段であって、当該スポンサー情報の一種として、スポンサーからユーザに提供されるスポンサー提供情報を前記スポンサー装置に送信させるための情報または当該スポンサー提供情報と、代行業者がスポンサーに代わって当該スポンサー提供情報をユーザに送信する代価としてスポンサーから代行業者に支払われるスポンサー費用に関するスポンサー費用情報とを、スポンサー毎に登録する当該スポンサー情報登録手段と、
（Ｃ）ユーザに関するユーザ情報を登録するユーザ情報登録手段であって、当該ユーザ情報の一種として、前記スポンサー提供情報を閲覧したユーザである閲覧ユーザに付与される一提供毎のポイントと、当該一提供毎のポイントの積算値である未処理積算ユーザポイントとを、ユーザ毎に登録し、さらに、ユーザからの寄付を受け付けている団体に関する団体情報の中から１乃至複数の寄付先をユーザに選択入力させるための寄付先選択欄と寄付先に応じて寄付の割合をユーザに指定入力させるための寄付の割合入力欄とを有する寄付先登録用画面を、前記ユーザ装置に表示させるための寄付先登録用情報を登録する当該ユーザ情報登録手段と、
（Ｄ）前記団体情報を登録する団体情報登録手段であって、前記団体情報の一種として、ユーザから寄付された寄付ポイントの積算値である未処理積算団体獲得ポイントを登録する当該団体情報登録手段と、
（Ｅ）前記スポンサー提供情報の送信量を管理する情報管理手段であって、
（ａ）前記ユーザ装置から任意の団体を寄付先として登録するための指令を受信した場合に、前記ユーザ情報登録手段から前記寄付先登録用情報を読み出すとともに、前記団体情報登録手段から前記団体情報を読み出し、読み出した前記寄付先登録用情報と前記団体情報とを、前記指令を送信したユーザの前記ユーザ装置に送信し、さらに、その後に、前記ユーザ装置から当該ユーザによって選択された寄付先と寄付の割合とを受信することにより、受信した寄付先と寄付の割合とを当該ユーザの寄付先情報として前記ユーザ情報登録手段に登録し、
（ｂ）予め定められたタイミングで前記スポンサー情報登録手段に登録された前記スポンサー費用情報に基づいて定まる提供量の上限値内で前記スポンサー提供情報を前記ユーザ装置に送信し、さらに、その後に、前記ユーザ装置からユーザが前記スポンサー提供情報を閲覧したことを示す閲覧確認情報を受信した場合に、当該閲覧確認情報を送信した前記ユーザ装置のユーザを閲覧ユーザとみなし、前記ユーザ情報登録手段から当該閲覧ユーザの前記一提供毎の付与ポイントと前記寄付先情報と前記未処理積算ユーザポイントとを読み出し、読み出した前記寄付先情報から当該閲覧ユーザの寄付先である団体を特定し、前記団体情報登録手段から特定した団体の前記未処理積算団体獲得ポイントを読み出し、当該閲覧ユーザの前記一提供毎の付与ポイントと前記寄付先情報に含まれている寄付の割合に基づいて、寄付先毎に寄付ポイントを算出し、寄付先毎に前記寄付ポイントを前記未処理積算団体獲得ポイントに加算して、加算した値を各団体の新たな前記未処理積算団体獲得ポイントとして前記団体情報登録手段に登録するとともに、ユーザの獲得ポイントを算出し、当該ユーザの獲得ポイントを前記未処理積算ユーザポイントに加算して、加算した値を当該閲覧ユーザの新たな前記未処理積算ユーザポイントとして前記ユーザ情報登録手段に登録する当該情報管理手段と、
（Ｆ）前記スポンサー提供情報を閲覧したユーザである閲覧ユーザに対する分配費用およびユーザから寄付を受けた各団体に対する分配費用を算出する分配費用算出手段であって、予め定められたタイミングで前記団体情報登録手段から前記未処理積算団体獲得ポイントを読み出し、読み出した前記未処理積算団体獲得ポイントに基づいて、ユーザから寄付を受けた各団体に対する分配費用を算出するとともに、前記ユーザ情報登録手段から前記未処理積算ユーザポイントを読み出し、読み出した前記未処理積算ユーザポイントに基づいて、閲覧ユーザに対する分配費用を算出する当該分配費用算出手段と、
（Ｇ）閲覧ユーザに対する分配費用の支払い処理およびユーザから寄付を受けた各団体に対する分配費用の支払い処理を実行する支払い処理手段であって、予め定められたタイミングで前記スポンサー情報登録手段から前記スポンサー費用情報を読み出し、読み出した前記スポンサー費用情報に登録されている前記スポンサー費用を原資として、閲覧ユーザに対する支払い処理と各団体に対する支払い処理とを実行する当該支払い処理手段
として機能させるためのプログラム。
【手続補正３】
【補正対象書類名】明細書
【補正対象項目名】００９４
【補正方法】変更
【補正の内容】
【００９４】
上述の課題を解決するために、請求項１に記載の情報管理装置によれば、情報の送り手となるスポンサーによって使用されるスポンサー装置と情報の受け手となるユーザによって使用されるユーザ装置との間に介在する情報管理装置において、通信網を介してスポンサー装置およびユーザ装置と通信する通信手段と、スポンサーに関するスポンサー情報を登録するスポンサー情報登録手段と、ユーザに関するユーザ情報を登録するユーザ情報登録手段と、ユーザからの寄付を受け付けている団体に関する団体情報を登録する団体情報登録手段と、スポンサーからユーザに提供されるスポンサー提供情報の送信量を管理する情報管理手段と、スポンサー提供情報を閲覧したユーザである閲覧ユーザに対する分配費用およびユーザから寄付を受けた各団体に対する分配費用を算出する分配費用算出手段と、閲覧ユーザに対する分配費用の支払い処理およびユーザから寄付を受けた各団体に対する分配費用の支払い処理を実行する支払い処理手段とを有する。
なお、上述のスポンサー情報登録手段は、スポンサー情報の一種として、スポンサー装置にスポンサー提供情報を送信させるための情報またはスポンサー提供情報と、代行業者がスポンサーに代わってスポンサー提供情報をユーザに送信する代価としてスポンサーから代行業者に支払われるスポンサー費用に関するスポンサー費用情報とを、スポンサー毎に登録している。
また、上述のユーザ情報登録手段は、ユーザ情報の一種として、スポンサー提供情報を閲覧したユーザである閲覧ユーザに付与される一提供毎のポイントと、一提供毎のポイントの積算値である未処理積算ユーザポイントとを、ユーザ毎に登録している。
また、上述の団体情報登録手段は、団体情報の一種として、ユーザから寄付された寄付ポイントの積算値である未処理積算団体獲得ポイントを登録している。
さらに、上述のユーザ情報登録手段は、ユーザに団体情報の中から１乃至複数の寄付先を選択入力させるための寄付先選択欄とユーザに寄付先に応じて寄付の割合を指定入力させるための寄付の割合入力欄とを有する寄付先登録用画面を、ユーザ装置に表示させるための寄付先登録用情報を登録している。
【手続補正４】
【補正対象書類名】明細書
【補正対象項目名】００９５
【補正方法】変更
【補正の内容】
【００９５】
そして、上述の情報管理手段は、ユーザ装置から任意の団体を寄付先として登録するための指令を受信した場合に、ユーザ情報登録手段から寄付先登録用情報を読み出すとともに、団体情報登録手段から団体情報を読み出し、読み出した寄付先登録用情報と団体情報とを、指令を送信したユーザのユーザ装置に送信し、さらに、その後に、ユーザ装置から当該ユーザによって選択された寄付先と寄付の割合とを受信することにより、受信した寄付先と寄付の割合とを当該ユーザの寄付先情報としてユーザ情報登録手段に登録する。
【手続補正５】
【補正対象書類名】明細書
【補正対象項目名】００９７
【補正方法】変更
【補正の内容】
【００９７】
例えば、ユーザが寄付先としてＡ社とＢ社を選択した場合に、情報管理手段は、５０％をＡ社分とし、４０％をＢ社分とし、残り（１０％）をユーザ自身の獲得分として、寄付の割合をユーザに設定させることができる。また、例えば、ユーザが寄付先としてＡ社とＢ社を選択した場合に、情報管理手段は、１００％をＡ社分とし、０％をＢ社分とし、残り（０％）をユーザ自身の獲得分として、寄付の割合をユーザに設定させることもできる。なお、この場合、Ｂ社は、仮登録されただけの状態となる。ユーザは、場面に応じて、Ｂ社への寄付の割合を適宜増加することになる。
さらに、上述の情報管理手段は、予め定められたタイミングでスポンサー情報登録手段に登録されたスポンサー費用情報に基づいて定まる提供量の上限値内でスポンサー提供情報をユーザ装置に送信し、さらに、その後に、ユーザ装置からユーザがスポンサー提供情報を閲覧したことを示す閲覧確認情報を受信した場合に、閲覧確認情報を送信したユーザ装置のユーザを閲覧ユーザとみなし、ユーザ情報登録手段から閲覧ユーザの一提供毎の付与ポイントと寄付先情報と未処理積算ユーザポイントとを読み出し、読み出した寄付先情報から閲覧ユーザの寄付先である団体を特定し、団体情報登録手段から特定した団体の未処理積算団体獲得ポイントを読み出し、閲覧ユーザの一提供毎の付与ポイントと寄付先情報に含まれている寄付の割合に基づいて、寄付先毎に寄付ポイントを算出し、寄付先毎に寄付ポイントを未処理積算団体獲得ポイントに加算して、加算した値を各団体の新たな未処理積算団体獲得ポイントとして団体情報登録手段に登録するとともに、ユーザの獲得ポイントを算出し、ユーザの獲得ポイントを未処理積算ユーザポイントに加算して、加算した値を閲覧ユーザの新たな未処理積算ユーザポイントとしてユーザ情報登録手段に登録する。
また、上述の分配費用算出手段は、予め定められたタイミングで団体情報登録手段から未処理積算団体獲得ポイントを読み出し、読み出した未処理積算団体獲得ポイントに基づいて、ユーザから寄付を受けた各団体に対する分配費用を算出するとともに、ユーザ情報登録手段から未処理積算ユーザポイントを読み出し、読み出した未処理積算ユーザポイントに基づいて、閲覧ユーザに対する分配費用を算出する。
また、上述の支払い処理手段は、予め定められたタイミングでスポンサー情報登録手段からスポンサー費用情報を読み出し、読み出したスポンサー費用情報に登録されているスポンサー費用を原資として、各団体に対する支払い処理と閲覧ユーザに対する支払い処理とを実行する。
【手続補正６】
【補正対象書類名】明細書
【補正対象項目名】０１００
【補正方法】削除
【補正の内容】
【手続補正７】
【補正対象書類名】明細書
【補正対象項目名】０１０１
【補正方法】削除
【補正の内容】
【手続補正８】
【補正対象書類名】明細書
【補正対象項目名】０１０２
【補正方法】変更
【補正の内容】
【０１０２】
請求項４に記載の情報管理装置によれば、スポンサー情報登録手段は、スポンサー情報として、スポンサーによって好ましい寄付先として推奨された推奨団体と、推奨団体を推奨する推奨理由とが登録されている。そして、上述の情報管理手段は、スポンサー提供情報をユーザのユーザ装置に送信する場合に、スポンサー情報登録手段から推奨団体と推奨理由とを読み出し、スポンサー提供情報を表示するためのスポンサー提供情報表示欄と推奨団体を寄付先として選択入力するための推奨団体表示欄と推奨理由を表示するための推奨理由表示欄とを有するスポンサー提供情報表示画面をユーザ装置に表示させるための推奨団体表示用情報と、スポンサー提供情報と、推奨団体と、推奨理由とを、ユーザのユーザ装置に送信する。
【手続補正９】
【補正対象書類名】明細書
【補正対象項目名】０１０３
【補正方法】変更
【補正の内容】
【０１０３】
請求項５に記載の情報管理装置によれば、団体情報登録手段は、団体毎に、寄付を行った寄付ユーザと寄付ユーザの寄付累計ポイントとが対応付けて登録されている。そして、上述の情報管理手段は、任意の情報をユーザのユーザ装置に送信する場合に、団体情報登録手段からユーザが寄付を行った団体における各寄付ユーザと各寄付ユーザの寄付累計ポイントとを読み出し、読み出した各寄付ユーザと各寄付ユーザの寄付累計ポイントとに基づいて、ユーザが寄付した団体におけるユーザの寄付ランキングを特定し、特定した寄付ランキングをユーザ装置に表示させるための寄付ランキング表示用情報を、ユーザのユーザ装置に送信する。
【手続補正１０】
【補正対象書類名】明細書
【補正対象項目名】０１０４
【補正方法】削除
【補正の内容】
【手続補正１１】
【補正対象書類名】明細書
【補正対象項目名】０１０５
【補正方法】削除
【補正の内容】
【手続補正１２】
【補正対象書類名】明細書
【補正対象項目名】０１０６
【補正方法】削除
【補正の内容】
【手続補正１３】
【補正対象書類名】明細書
【補正対象項目名】０１０７
【補正方法】削除
【補正の内容】
【手続補正１４】
【補正対象書類名】明細書
【補正対象項目名】０１０８
【補正方法】削除
【補正の内容】
【手続補正１５】
【補正対象書類名】明細書
【補正対象項目名】０１０９
【補正方法】削除
【補正の内容】
【手続補正１６】
【補正対象書類名】明細書
【補正対象項目名】０１１０
【補正方法】削除
【補正の内容】
【手続補正１７】
【補正対象書類名】明細書
【補正対象項目名】０１１１
【補正方法】削除
【補正の内容】
【手続補正１８】
【補正対象書類名】明細書
【補正対象項目名】０１１２
【補正方法】変更
【補正の内容】
【０１１２】
請求項９に記載のプログラムによれば、コンピュータにより、以下の構成の情報管理装置、すなわち、情報の送り手となるスポンサーによって使用されるスポンサー装置と情報の受け手となるユーザによって使用されるユーザ装置との間に介在する情報管理装置であって、通信網を介してスポンサー装置およびユーザ装置と通信する通信手段と、スポンサーに関するスポンサー情報を登録するスポンサー情報登録手段と、ユーザに関するユーザ情報を登録するユーザ情報登録手段と、ユーザからの寄付を受け付けている団体に関する団体情報を登録する団体情報登録手段と、スポンサーからユーザに提供されるスポンサー提供情報の送信量を管理する情報管理手段と、スポンサー提供情報を閲覧したユーザである閲覧ユーザに対する分配費用およびユーザから寄付を受けた各団体に対する分配費用を算出する分配費用算出手段と、閲覧ユーザに対する分配費用の支払い処理およびユーザから寄付を受けた各団体に対する分配費用の支払い処理を実行する支払い処理手段とを有する情報管理装置を実現する。
なお、上述のスポンサー情報登録手段は、スポンサー情報の一種として、スポンサー装置にスポンサー提供情報を送信させるための情報またはスポンサー提供情報と、代行業者がスポンサーに代わってスポンサー提供情報をユーザに送信する代価としてスポンサーから代行業者に支払われるスポンサー費用に関するスポンサー費用情報とを、スポンサー毎に登録している。
また、上述のユーザ情報登録手段は、ユーザ情報の一種として、スポンサー提供情報を閲覧したユーザである閲覧ユーザに付与される一提供毎のポイントと、一提供毎のポイントの積算値である未処理積算ユーザポイントとを、ユーザ毎に登録している。
さらに、ユーザ情報登録手段は、ユーザに団体情報の中から１乃至複数の寄付先を選択入力させるための寄付先選択欄とユーザに寄付先に応じて寄付の割合を指定入力させるための寄付の割合入力欄とを有する寄付先登録用画面を、ユーザ装置に表示させるための寄付先登録用情報を登録している。
また、上述の団体情報登録手段は、団体情報の一種として、ユーザから寄付された寄付ポイントの積算値である未処理積算団体獲得ポイントを登録している。
そして、上述の情報管理手段は、ユーザ装置から任意の団体を寄付先として登録するための指令を受信した場合に、ユーザ情報登録手段から寄付先登録用情報を読み出すとともに、団体情報登録手段から団体情報を読み出し、読み出した寄付先登録用情報と団体情報とを、指令を送信したユーザのユーザ装置に送信し、さらに、その後に、ユーザ装置からユーザによって選択された寄付先と寄付の割合とを受信することにより、受信した寄付先と寄付の割合とをユーザの寄付先情報としてユーザ情報登録手段に登録する。
さらに、上述の情報管理手段は、予め定められたタイミングでスポンサー情報登録手段に登録されたスポンサー費用情報に基づいて定まる提供量の上限値内でスポンサー提供情報をユーザ装置に送信し、さらに、その後に、ユーザ装置からユーザがスポンサー提供情報を閲覧したことを示す閲覧確認情報を受信した場合に、閲覧確認情報を送信したユーザ装置のユーザを閲覧ユーザとみなし、ユーザ情報登録手段から閲覧ユーザの一提供毎の付与ポイントと寄付先情報と未処理積算ユーザポイントとを読み出し、読み出した寄付先情報から閲覧ユーザの寄付先である団体を特定し、団体情報登録手段から特定した団体の未処理積算団体獲得ポイントを読み出し、閲覧ユーザの一提供毎の付与ポイントと寄付先情報に含まれている寄付の割合に基づいて、寄付先毎に寄付ポイントを算出し、寄付先毎に寄付ポイントを未処理積算団体獲得ポイントに加算して、加算した値を各団体の新たな未処理積算団体獲得ポイントとして団体情報登録手段に登録するとともに、ユーザの獲得ポイントを算出し、ユーザの獲得ポイントを未処理積算ユーザポイントに加算して、加算した値を閲覧ユーザの新たな未処理積算ユーザポイントとしてユーザ情報登録手段に登録する。
また、上述の分配費用算出手段は、予め定められたタイミングでユーザ情報登録手段から未処理積算ユーザポイントを読み出し、読み出した未処理積算ユーザポイントに基づいて、閲覧ユーザに対する分配費用を算出するとともに、団体情報登録手段から未処理積算団体獲得ポイントを読み出し、読み出した未処理積算団体獲得ポイントに基づいて、ユーザから寄付を受けた各団体に対する分配費用を算出する。
また、上述の支払い処理手段は、予め定められたタイミングでスポンサー情報登録手段からスポンサー費用情報を読み出し、読み出したスポンサー費用情報に登録されているスポンサー費用を原資として、閲覧ユーザに対する支払い処理と各団体に対する支払い処理とを実行する。
【手続補正１９】
【補正対象書類名】明細書
【補正対象項目名】０１１３
【補正方法】変更
【補正の内容】
【０１１３】
このプログラムによれば、ユーザ装置から任意の団体を寄付先として登録するための指令を受信した場合に、情報管理手段によって、ユーザ情報登録手段から寄付先登録用情報を読み出すとともに、団体情報登録手段から団体情報を読み出し、読み出した寄付先登録用情報と団体情報とを、指令を送信したユーザのユーザ装置に送信し、さらに、その後に、ユーザ装置から当該ユーザによって選択された寄付先と寄付の割合とを受信することにより、受信した寄付先と寄付の割合とを当該ユーザの寄付先情報としてユーザ情報登録手段に登録するように、コンピュータを駆動する。これにより、寄付先情報の登録処理を容易に行う。
【手続補正２０】
【補正対象書類名】明細書
【補正対象項目名】０１１６
【補正方法】変更
【補正の内容】
【０１１６】
また、ユーザは、寄付の割合入力欄に寄付の割合を指定入力するだけで、各寄付先に応じて、異なる寄付の割合を容易に登録することができる。そのため、この情報管理装置は、従来例における第２の課題、すなわち、複数の寄付先を登録することができないという課題、および、寄付先に応じて、寄付の割合を変えて登録することができないという課題を解決することができる。
さらに、この情報管理装置は、ユーザがスポンサー提供情報を閲覧した場合に、ユーザ毎にユーザ情報登録手段に登録されている一提供毎の付与ポイントと寄付の割合とに基づいて、未処理積算団体獲得ポイントと未処理積算ユーザポイントとを算出する。そして、この情報管理装置は、スポンサー情報登録手段にスポンサー費用情報として登録されているスポンサー費用を原資として、各団体に対する支払い処理と閲覧ユーザに対する支払い処理とを実行する。これにより、この情報管理装置は、スポンサー費用情報に基づいて定まる上限値内でスポンサー提供情報を送信するように、スポンサーからユーザに提供されるスポンサー提供情報の送信量を管理することができる。
【手続補正２１】
【補正対象書類名】明細書
【補正対象項目名】０１１７
【補正方法】変更
【補正の内容】
【０１１７】
なお、請求項２〜８のいずれか１項に記載の情報管理装置によれば、上述した請求項１に記載の装置発明の効果の他に、以下の効果を奏し得る。
【手続補正２２】
【補正対象書類名】明細書
【補正対象項目名】０１２０
【補正方法】削除
【補正の内容】
【手続補正２３】
【補正対象書類名】明細書
【補正対象項目名】０１２１
【補正方法】削除
【補正の内容】
【手続補正２４】
【補正対象書類名】明細書
【補正対象項目名】０１２２
【補正方法】変更
【補正の内容】
【０１２２】
請求項４に記載の情報管理装置によれば、スポンサー提供情報をユーザのユーザ装置に送信する場合に、スポンサーによって好ましい寄付先として推奨された推奨団体とその推奨理由とをユーザ装置に表示させることができる。なお、ユーザは、推奨理由に賛同する場合に、ユーザ装置に表示された推奨団体を選択入力する。これにより、ユーザは、送信されたスポンサー提供情報を閲覧することにより獲得するポイントの一部または全てを選択入力した推奨団体に寄付することができる。したがって、情報管理装置は、ユーザの寄付行為を促進させることができる。
【手続補正２５】
【補正対象書類名】明細書
【補正対象項目名】０１２３
【補正方法】変更
【補正の内容】
【０１２３】
請求項５に記載の情報管理装置によれば、ユーザが寄付した団体におけるユーザの寄付ランキングをユーザ装置に表示させることができる。これにより、情報管理装置は、ユーザの競争心を喚起して、ユーザの寄付行為を促進させることができる。
請求項６に記載の情報管理装置によれば、分配費用を団体情報登録手段に登録された各団体の口座に振り込むことにより、ユーザから寄付を受けた各団体に対する分配費用の支払い処理を実行することができる。
請求項７に記載の情報管理装置によれば、分配費用をユーザ情報登録手段に登録された閲覧ユーザの口座に振り込むことにより、閲覧ユーザに対する分配費用の支払い処理を実行することができる。
請求項８に記載の情報管理装置によれば、分配費用をユーザ情報登録手段に登録された閲覧ユーザのユーザ装置に電子マネーとして送信することにより、閲覧ユーザに対する分配費用の支払い処理を実行することができる。
【手続補正２６】
【補正対象書類名】明細書
【補正対象項目名】０１２４
【補正方法】削除
【補正の内容】
【手続補正２７】
【補正対象書類名】明細書
【補正対象項目名】０１２５
【補正方法】削除
【補正の内容】
【手続補正２８】
【補正対象書類名】明細書
【補正対象項目名】０１２６
【補正方法】削除
【補正の内容】
【手続補正２９】
【補正対象書類名】明細書
【補正対象項目名】０１２７
【補正方法】削除
【補正の内容】
【手続補正３０】
【補正対象書類名】明細書
【補正対象項目名】０１２８
【補正方法】削除
【補正の内容】
【手続補正３１】
【補正対象書類名】明細書
【補正対象項目名】０１２９
【補正方法】削除
【補正の内容】
【手続補正３２】
【補正対象書類名】明細書
【補正対象項目名】０１３０
【補正方法】削除
【補正の内容】
【手続補正３３】
【補正対象書類名】明細書
【補正対象項目名】０１３１
【補正方法】削除
【補正の内容】
【手続補正３４】
【補正対象書類名】明細書
【補正対象項目名】０１３２
【補正方法】削除
【補正の内容】
【手続補正３５】
【補正対象書類名】明細書
【補正対象項目名】０１３３
【補正方法】削除
【補正の内容】
【手続補正３６】
【補正対象書類名】明細書
【補正対象項目名】０１３４
【補正方法】変更
【補正の内容】
【０１３４】
また、請求項９に記載のプログラムによれば、請求項１に記載の装置発明と同様に、団体情報登録手段に予め登録された団体情報に基づいて、ユーザが団体情報の中から１乃至複数の寄付先を選択入力するための寄付先選択欄とユーザが寄付先に応じて寄付の割合を指定入力するための寄付の割合入力欄とを有する寄付先登録用画面を、ユーザに提示することができる。
【手続補正３７】
【補正対象書類名】明細書
【補正対象項目名】０２３５
【補正方法】変更
【補正の内容】
【０２３５】
第２の方法では、情報管理装置１００ａの情報管理部１６０ａは、まず、予め定められたタイミングで、スポンサー情報登録部１２０に登録されたスポンサー情報を読み出し、送信案件のスポンサー情報を特定する。次に、情報管理部１６０ａは、特定した送信案件のスポンサー情報を記憶部１１５に一時記憶する。次に、情報管理部１６０ａは、記憶部１１５から、送信案件のスポンサー提供情報に対応する送信案件のスポンサー情報を読み出し、読み出した送信案件のスポンサー情報の中に含まれている送信予定者のユーザＮｏを特定する。次に、情報管理部１６０ａは、ユーザ情報登録部１３０から、特定した送信予定者のユーザＮｏに対応するユーザ情報を読み出し、このユーザ情報の中に含まれている送信予定者のメールアドレスを特定する（図５参照）。次に、情報管理部１６０ａは、記憶部１１５から送信案件のスポンサー情報を読み出し、読み出した送信案件のスポンサー情報の中からスポンサー提供情報を抽出し、抽出したスポンサー提供情報を送信予定者のメールアドレスに送信する。これにより、情報管理部１６０ａは、送信案件のスポンサー提供情報を送信予定者のユーザ装置３００に送信する。